(57)【要約】      （修正有）【課題】ローカルサービスは、小さいカバレッジのアクセスポイントによりアクセス可能でありえる。パケットがローカルサービスからアクセス端末に到達する場合に、アクセス端末をページングする技術を提供する。【解決手段】ローカルＩＰアクセスページングスキームは、アクセス端末５０２に向けられたパケットがローカルＩＰアクセスを介して受信された場合に、アクセス端末５０２のページングを容易にする。ローカルエンティティ５０４は、ローカルエンティティ５０４を通過するメッセージをスニッフィングすることによって、アクセス端末のローカルページングを可能にする情報を獲得する。ローカルエンティティ５０４は、アクセス端末に向けられたローカルＩＰアクセスパケットがそのローカルエンティティ５０４に到着した場合に、コアネットワークに、アクセス端末５０２をページングさせるパケットまたはメッセージを送信する。【選択図】図５
2014195314.tif 000002
【特許請求の範囲】
【請求項１】
メッセージを受信することと、
アクセス端末の識別子を前記メッセージから決定することと、
前記メッセージを転送することと、
前記アクセス端末に向けられたパケットを受信することと、
前記パケットの受信に基づいて、前記識別子を備える少なくとも１つのページングメッセージを前記アクセス端末に送信することと
を備える通信方法。
【請求項２】
前記パケットは、前記少なくとも１つのページングメッセージを送信するアクセスポイントと関連付けられたローカルエリアネットワークから受信される、請求項１に記載の方法。
【請求項３】
前記少なくとも１つのページングメッセージは、前記アクセスポイントのローカルサービングＧＰＲＳサポートノードによって送信される、請求項２に記載の方法。
【請求項４】
前記メッセージは、非アクセス層メッセージを備える、請求項１に記載の方法。
【請求項５】
前記非アクセス層メッセージは、アタッチメッセージ、位置エリア更新メッセージ、または、ルーティングエリア更新メッセージを備える、請求項４に記載の方法。
【請求項６】
前記受信メッセージから、あるいは、別の受信メッセージから、前記アクセス端末のためにページングタイミング情報を決定することをさらに備え、前記少なくとも１つのページングメッセージは、前記ページングタイミング情報に基づいて送信される、請求項１に記載の方法。
【請求項７】
前記ページングタイミング情報は、不連続受信周期情報を備える、請求項６に記載の方法。
【請求項８】
前記少なくとも１つのページングメッセージを送信することは、ページングチャネルの各ページング機会でページングメッセージを前記アクセス端末に送信することを備える、請求項１に記載の方法。
【請求項９】
前記パケットの受信に基づいて、ページングインジケータチャネルの全てのページングインジケータを設定することをさらに備える、請求項１に記載の方法。
【請求項１０】
前記メッセージは、前記アクセス端末のために、モビリティマネジャから受信される、請求項１に記載の方法。
【請求項１１】
前記モビリティマネジャは、コアネットワークのサービングＧＰＲＳサポートノードを備える、請求項１０に記載の方法。
【請求項１２】
前記メッセージは、前記アクセス端末から受信される、請求項１に記載の方法。
【請求項１３】
メッセージを受信するように構成され、さらに、アクセス端末に向けられたパケットを受信するように構成された受信機と、
前記アクセス端末の識別子を前記メッセージから決定するように構成されたページングコントローラと、
前記メッセージを転送するように構成された送信機とを備え、
前記ページングコントローラは、さらに、前記パケットの受信に基づいて少なくとも１つのページングメッセージを前記アクセス端末に送信するように構成され、
前記少なくとも１つのページングメッセージは前記識別子を備える、通信装置。
【請求項１４】
前記パケットは、前記少なくとも１つのページングメッセージを送信するアクセスポイントと関連付けられたローカルエリアネットワークから受信される、請求項１３に記載の装置。
【請求項１５】
前記ページングコントローラは、さらに、前記受信メッセージから、または、別の受信メッセージから、前記アクセス端末についてのページングタイミング情報を決定するように構成され、
前記少なくとも１つのページングメッセージは、前記ページングタイミング情報に基づいて送信される、
請求項１３に記載の装置。
【請求項１６】
前記少なくとも１つのページングメッセージを送信することは、ページングチャネルの各ページング機会に前記アクセス端末にページングメッセージを送信することを備える、請求項１３に記載の装置。
【請求項１７】
前記ページングコントローラは、さらに、前記パケットの受信に基づいて、ページングインジケータチャネルの全てのページングインジケータを設定するように構成される、請求項１３に記載の装置。
【請求項１８】
メッセージを受信するための手段と、
アクセス端末の識別子を前記メッセージから決定するための手段と、
前記メッセージを転送するための手段と、
前記アクセス端末に向けられたパケットを受信するための手段と、
前記パケットの受信に基づいて、前記識別子を備える少なくとも１つのページングメッセージを前記アクセス端末に送信するための手段と
を備える通信装置。
【請求項１９】
前記パケットは、前記少なくとも１つのページングメッセージを送信するアクセスポイントと関連付けられたローカルエリアネットワークから受信される、請求項１８に記載の装置。
【請求項２０】
前記アクセス端末についてのページングタイミング情報を前記受信メッセージから、あるいは、別の受信メッセージから決定するための手段をさらに備え、前記少なくとも１つのページングメッセージは、前記ページングタイミング情報に基づいて送信される、請求項１８に記載の装置。
【請求項２１】
前記少なくとも１つのページングメッセージを送信することは、ページングチャネルの各ページング機会でページングメッセージを前記アクセス端末に送信することを備える、請求項１８に記載の装置。
【請求項２２】
前記パケットの受信に基づいて、ページングインジケータチャネルの全てのページングインジケータを設定するための手段をさらに備える、請求項１８に記載の装置。
【請求項２３】
コンピュータ可読媒体を備えるコンピュータプログラム製品であって、前記コンピュータ可読媒体は
メッセージを受信する、
アクセス端末の識別子を前記メッセージから決定する、
前記メッセージを転送する、
前記アクセス端末に向けられたパケットを受信する、そして、
前記パケットの受信に基づいて、前記識別子を備える少なくとも１つのページングメッセージを前記アクセス端末に送信する
ことをコンピュータにさせるためのコードを備える、コンピュータプログラム製品。
【請求項２４】
前記パケットは、前記少なくとも１つのページングメッセージを送信するアクセスポイントと関連付けられたローカルエリアネットワークから受信される、請求項２３に記載のコンピュータプログラム製品。
【請求項２５】
前記コンピュータ可読媒体は、前記アクセス端末のために、前記受信メッセージから、あるいは、別の受信メッセージからページングタイミング情報を決定することを前記コンピュータにさせるためのコードをさらに備え、
前記少なくとも１つのページングメッセージは、前記ページングタイミング情報に基づいて送信される、
請求項２３に記載のコンピュータプログラム製品。
【請求項２６】
前記少なくとも１つのページングメッセージを送信することは、ページングチャネルの各ページング機会でページングメッセージを前記アクセス端末に送信することを備える、請求項２３に記載のコンピュータプログラム製品。
【請求項２７】
前記コンピュータ可読媒体は、前記コンピュータに、前記パケットの受信に基づいてページングインジケータチャネルの全てのページングインジケータを設定させるコードをさらに備える、請求項２３に記載のコンピュータプログラム製品。
【請求項２８】
アクセス端末に向けられた第１のパケットを受信することと、
前記第１のパケットの受信に基づいて、第２のパケットをネットワークエンティティに送信することと、
前記第２のパケットの送信の結果として、前記アクセス端末がページングされる予定であることを示すメッセージをモビリティマネジャから受信することと、
前記メッセージの受信に基づいて、ページングメッセージを前記アクセス端末に送信することと
を備える通信方法。
【請求項２９】
前記ネットワークエンティティは、前記モビリティマネジャを備える、請求項１に記載の方法。
【請求項３０】
前記ネットワークエンティティは、サービングゲートウェイを備える、請求項１に記載の方法。
【請求項３１】
前記第２のパケットは、データパケット備える、請求項１に記載の方法。
【請求項３２】
前記第２のパケットは、制御パケットを備える、請求項１に記載の方法。
【請求項３３】
前記第２のパケットは、前記アクセス端末のページングをトリガするために送信されるダミーパケットを備える、請求項１に記載の方法。
【請求項３４】
前記モビリティマネジャは、コアネットワークのサービングＧＰＲＳサポートノードを備える、請求項１に記載の方法。
【請求項３５】
前記第１のパケットは、前記ページングメッセージを送信するアクセスポイントと関連付けられたローカルエリアネットワークからのものである、請求項１に記載の方法。
【請求項３６】
前記アクセスポイントは、前記第１のパケットおよび前記メッセージを受信し、前記第２のパケットおよび前記ページングメッセージを送信する、請求項３５に記載の方法。
【請求項３７】
前記第２のパケットは、前記ローカルエリアネットワークを介して送信される、請求項３５に記載の方法。
【請求項３８】
前記第２のパケットは、プロトコルトンネルを介して送信される、請求項１に記載の方法。
【請求項３９】
前記プロトコルトンネルは、ＧＰＲトンネリングプロトコルトンネルである、請求項３８に記載の方法。
【請求項４０】
アクセス端末に向けられた第１のパケットを受信するように構成された受信機と、
前記第１のパケットの受信に基づいて、第２のパケットをネットワークエンティティに送信するように構成されたページングコントローラとを備え、
前記受信機は、さらに、前記第２のパケットを送信した結果として、メッセージをモビリティマネジャから受信するように構成され、
前記メッセージは、前記アクセス端末がページングされる予定であることを示し、
前記ページングコントローラは、さらに、前記メッセージの受信に基づいて、ページングメッセージを前記アクセス端末に送信するように構成される
通信装置。
【請求項４１】
前記ネットワークエンティティは、前記モビリティマネジャを備える、請求項４０に記載の装置。
【請求項４２】
前記ネットワークエンティティは、サービングゲートウェイを備える、請求項４０に記載の装置。
【請求項４３】
前記第２のパケットは、前記アクセス端末のページングをトリガするために送信されるダミーパケットを備える、請求項４０に記載の装置。
【請求項４４】
前記第１のパケットは、前記装置と関連付けられたローカルエリアネットワークからのものである、請求項４０に記載の装置。
【請求項４５】
前記装置は、アクセスポイントを備える、請求項４４に記載の装置。
【請求項４６】
アクセス端末に向けられた第１のパケットを受信するための手段と、
前記第１のパケットの受信に基づいて、第２のパケットをネットワークエンティティに送信するための手段と、
前記アクセス端末がページングされる予定であることを示すメッセージを、前記第２のパケットを送信した結果として、モビリティマネジャから受信するための手段と、
前記メッセージの受信に基づいて、ページングメッセージを前記アクセス端末に送信するための手段と
を備える通信装置。
【請求項４７】
前記ネットワークエンティティは、前記モビリティマネジャを備える、請求項４６に記載の装置。
【請求項４８】
前記ネットワークエンティティは、サービングゲートウェイを備える、請求項４６に記載の装置。
【請求項４９】
前記第２のパケットは、前記アクセス端末のページングをトリガするために送信されるダミーパケットを備える、請求項４６に記載の装置。
【請求項５０】
前記第１のパケットは、前記装置と関連付けられたローカルエリアネットワークからのものである、請求項４６に記載の装置。
【請求項５１】
前記装置は、アクセスポイントを備える、請求項５０に記載の装置。
【請求項５２】
コンピュータ可読媒体を備えるコンピュータプログラム製品であって、前記コンピュータ可読媒体は、
アクセス端末に向けられた第１のパケットを受信する、
前記第１のパケットの受信に基づいて、第２のパケットをネットワークエンティティに送信する、
前記第２のパケットを送信した結果として、前記アクセス端末がページングされる予定であることを示すメッセージをモビリティマネジャから受信する、
前記メッセージの受信に基づいて、ページングメッセージを前記アクセス端末に送信する
ことをコンピュータにさせるためのコードを備える、コンピュータプログラム製品。
【請求項５３】
前記ネットワークエンティティは、前記モビリティマネジャを備える、請求項５２に記載のコンピュータプログラム製品。
【請求項５４】
前記ネットワークエンティティは、サービングゲートウェイを備える、請求項５２に記載のコンピュータプログラム製品。
【請求項５５】
前記第２のパケットは、前記アクセス端末のページングをトリガするために送信されるダミーパケットを備える、請求項５２に記載のコンピュータプログラム製品。
【請求項５６】
前記第１のパケットは、前記ページングメッセージを送信するアクセスポイントと関連付けられたローカルエリアネットワークからのものである、請求項５２に記載のコンピュータプログラム製品。
【請求項５７】
前記アクセスポイントは、前記第１のパケットおよび前記メッセージを受信し、前記第２のパケットおよび前記ページングメッセージを送信する、請求項５６に記載のコンピュータプログラム製品。
【請求項５８】
アクセス端末に向けられた第１のパケットを受信することと、
前記第１のパケットの受信に基づいて、前記アクセス端末のページングをトリガするために送信される第２のパケットをネットワークエンティティに送信することと
を備える通信方法。
【請求項５９】
前記第２のパケットは、前記アクセス端末のページングをトリガするために送信されるダミーパケットを備える、請求項５８に記載の方法。
【請求項６０】
前記ネットワークエンティティは、モビリティマネジャまたはサービングゲートウェイを備える、請求項５８に記載の方法。
【請求項６１】
前記第１のパケットは、前記アクセス端末のためのサービングアクセスポイントと関連付けられたローカルエリアネットワークからのものである、請求項５８に記載の方法。
【請求項６２】
前記第２のパケットは、前記ローカルエリアネットワークを介して送信される、請求項６１に記載の方法。
【請求項６３】
前記第２のパケットは、プロトコルトンネルを介して送信される、請求項５８に記載の方法。
【請求項６４】
アクセス端末に向けられた第１のパケットを受信するように構成された受信機と、
前記第１のパケットの受信に基づいて、前記アクセス端末のページングをトリガするために送信される第２のパケットをネットワークエンティティに送信するように構成されたページングコントローラと
を備える通信装置。
【請求項６５】
前記第２のパケットは、前記アクセス端末のページングをトリガするために送信されるダミーパケットを備える、請求項６４に記載の装置。
【請求項６６】
前記第１のパケットは、前記アクセス端末の」ためのサービングアクセスポイントと関連付けられたローカルエリアネットワークからのパケットである、請求項６４に記載の方法。
【請求項６７】
アクセス端末に向けられた第１のパケットを受信するための手段と、
前記第１のパケットの受信に基づいて、前記アクセス端末のページングをトリガするために送信される第２のパケットをネットワークエンティティに送信するための手段と
を備える通信装置。
【請求項６８】
前記第２のパケットは、前記アクセス端末のページングをトリガするために送信されるダミーパケットを備える、請求項６７に記載の装置。
【請求項６９】
前記第１のパケットは、前記アクセス端末のためのサービングアクセスポイントと関連付けられたローカルエリアネットワークからのパケットである、請求項６７に記載の装置。
【請求項７０】
コンピュータ可読媒体を備えるコンピュータプログラム製品であって、前記コンピュータ可読媒体は、
アクセス端末に向けられた第１のパケットを受信する、
前記第１のパケットの受信に基づいて、前記アクセス端末のページングをトリガするために送信される第２のパケットをネットワークエンティティに送信する
ことをコンピュータにさせるためのコードを備える、コンピュータプログラム製品。
【請求項７１】
前記第２のパケットは、前記アクセス端末のページングをトリガするために送信されるダミーパケットを備える、請求項７０に記載のコンピュータプログラム製品。
【請求項７２】
前記第１のパケットは、前記アクセス端末のためのサービングアクセスポイントと関連付けられたローカルエリアネットワークからのパケットである、請求項７０に記載のコンピュータプログラム製品。
【発明の詳細な説明】
【優先権の主張】
【０００１】
本出願は、その開示が、これによって参照により本明細書に組み込まれる、２００９年５月８日に出願され、且つ、代理人事件番号０９２１７６Ｐ１号が割り当てられた、同一出願人による米国仮出願６１／１７６７５３号の利益および優先権を主張する。
【技術分野】
【０００２】
本出願は一般に、通信に関し、さらに詳細には、しかし排他的にではなく、アクセス端末をページングすることに関する。
【背景技術】
【０００３】
無線通信ネットワークは、画定された地理的エリアにわたって展開され、様々なタイプのサービス（例えば、音声、データ、マルチメディアサービスなど）をその地理的エリア内のユーザに提供しうる。典型的なインプリメンテーションにおいて、アクセスポイント（例えば、異なるセルに対応する）は、ネットワーク全体に分散され、そのネットワークがサービスを提供する地理的エリア内で動作しているアクセス端末（例えば、セル電話）に無線接続性を提供する。
【０００４】
高速およびマルチメディアデータサービスに対する需要が急速に増加するにつれ、高性能で、効果的およびロバストな通信システムをインプリメントするための挑戦が存在する。従来のネットワークアクセスポイント（例えば、マクロアクセスポイント）を補うために、小さいカバレッジのアクセスポイントが展開され（例えば、ユーザの家に設置され）、よりロバストな屋内無線カバレッジあるいは別のカバレッジをモバイル装置に提供しうる。そのような小さいカバレッジのアクセスポイントは、例えば、フェムトアクセスポイント、フェムトセルホームノードＢ、ホーム発展型ノードＢ、または、アクセスポイント基地局と呼ばれうる。典型的に、そのような小さいカバレッジの基地局は、ＤＳＬルータあるいはケーブルモデムを介してインターネットおよびモバイルオペレータのネットワークに接続される。
【０００５】
いくつかの場合において、１または複数のローカルサービスは、小さいカバレッジのアクセスポイントによりアクセス可能でありうる。例えば、アクセスポイントは、ローカルコンピュータ、ローカルプリンタ、サーバ、インターネットアクセス、または別のサービスのうちの１または複数をサポートするローカルネットワークに接続されうる。そのような場合において、小さいカバレッジの基地局を介して、これらのローカルサービスにアクセス端末がアクセスできるようにすることが望まれうる。例えば、ユーザは、ローカルネットワークを介してインターネットにアクセスするために、ユーザのセル電話を使用することを望みうる。
【０００６】
従来、アクセス端末は、そのアクセス端末に向けられたパケットがネットワークに到着すると、ネットワークによってページングされる。しかしながら、ローカルサービスからアクセス端末に向けられたパケットは、オペレータのネットワークを迂回する可能性がある。結果として、パケットがローカルサービスからアクセス端末に到達する場合に、アクセス端末をページングする効果的な技術が必要とされる。
【発明の概要】
【０００７】
本開示の例示的な態様の概要が次に続く。本明細書の論述において、態様（aspect）という用語に対する任意の言及は、本開示の１または複数の態様を指しうる。
【０００８】
本開示は、いくつかの態様において、アクセス端末に向けられたパケットが、ローカルインターネットプロトコル（ＩＰ）アクセスを介して受信された際に（例えば、コアネットワークを介して受信されることとは対照的に）そのアクセス端末をページングするためのスキームに関する。いくつかの態様において、ローカルＩＰアクセスは、現在アクセス端末にサービス提供しているアクセスポイントと関連付けられたローカルエリアネットワーク（ＬＡＮ）を介したアクセスを備えうる。
【０００９】
本開示は、いくつかの態様において、アクセス端末に向けられたパケットが、ローカルＩＰアクセスを介して受信された場合に、そのアクセス端末のページングを可能にする情報を獲得するためのスキームに関する。例えば、アクセス端末をページングするために必要な情報を有していない可能性があるローカルエンティティ（例えば、アクセスポイント）は、そのローカルエンティティを通過するメッセージをスニッフィング（sniff）することによって、この情報を獲得することができる。この情報は、例えば、アクセス端末の識別子と、随意的に、アクセス端末についてのページングタイミング情報とを備えうる。いくつかの態様において、そのようなスニッフィングは、メッセージ（例えば、非アクセス層（ＮＡＳ）メッセージ）を受信すること、そのメッセージから所望の情報を抽出すること、および、そのメッセージを転送することを備えうる。アクセス端末に向けられたローカルＩＰアクセスパケットを受信すると、ローカルエンティティは、獲得情報を使用してアクセス端末をページングすることができる。
【００１０】
本開示は、いくつかの態様において、アクセス端末に向けられたローカルＩＰアクセスパケットが、ローカルエンティティに到着すると、コアネットワークに、アクセス端末をページングさせるスキームに関する。例えば、そのようなパケットの受信を受けて、ローカルエンティティは、ネットワークに、アクセス端末をページングさせるために、パケットまたはメッセージをネットワークエンティティ（例えば、モビリティマネジャまたはサービングゲートウェイ）に送信することができる。いくつかのインプリメンテーションにおいて、ローカルエンティティは、アクセス端末のページングをトリガするために、アクセス端末に向けられたダミーパケットをネットワークエンティティに送信する。いくつかのインプリメンテーションにおいて、ローカルエンティティは、アクセス端末がページングされることを明示的に要求するメッセージを送信する。いずれの場合においても、次に、アクセス端末にサービス提供するアクセスポイントは、そのアクセス端末がページングされる予定であること示すメッセージをネットワークから受信するであろう。次に、アクセスポイントは、ネットワークからのメッセージの受信に基づいて、ページングメッセージをアクセス端末に送信することができる。
【００１１】
本開示のこれらの例示的な態様並びに別の例示的な態様が、次に続く、詳細な説明と添付の特許請求の範囲、および、付随の図面に記述されるであろう。
【図面の簡単な説明】
【００１２】
【図１】図１は、ローカルＩＰアクセスページングを提供することに適応した通信システムのいくつかの例示的な態様の簡略ブロック図である。
【図２】図２は、ローカルＩＰアクセスパケットの受信を受けて、アクセス端末をページングするために情報を獲得するローカルエンティティに関連して実行されうる動作のいくつかの例示的な態様のフローチャートである。
【図３】図３は、ネットワークに、アクセス端末をページングさせるためにパケットを送信するローカルエンティティに関連して実行されうる動作のいくつかの例示的な態様のフローチャートである。
【図４】図４は、ネットワークがアクセス端末をページングすることを要求するメッセージを送信するローカルエンティティに関連して実行されうる動作のいくつかの例示的な態様のフローチャートである。
【図５】図５は、ローカルＩＰアクセスページングを提供することに適応したＵＭＴＳネットワークのいくつかの例示的な態様の簡略ブロック図である。
【図６】図６は、ローカルＩＰアクセスページングを提供することに適応したＬＴＥネットワークのいくつかの例示的な態様の簡略ブロック図である。
【図７】図７は、アクセスポイントから離れたローカルエンティティが、ローカルＩＰアクセスページングをサポートする通信システムのいくつかの例示的な態様の簡略ブロック図である。
【図８】図８は、通信ノードにおいて用いられうるコンポーネントのいくつかの例示的な態様の簡略ブロック図である。
【図９】図９は、無線通信システムの簡略図である。
【図１０】図１０は、フェムトノードを含む無線通信システムの簡略図である。
【図１１】図１１は、無線通信のためのカバレッジエリアを示す簡略図である。
【図１２】図１２は、通信コンポーネントのいくつかの例示的な態様の簡略ブロック図である。
【図１３】図１３は、本明細書において教示されるようなローカルＩＰアクセスパケットページングを提供するように構成された装置のいくつかの例示的な態様の簡略ブロック図である。
【図１４】図１４は、本明細書において教示されるようなローカルＩＰアクセスパケットページングを提供するように構成された装置のいくつかの例示的な態様の簡略ブロック図である。
【図１５】図１６は、本明細書において教示されるようなローカルＩＰアクセスパケットページングを提供するように構成された装置のいくつかの例示的な態様の簡略ブロック図である。
【詳細な説明】
【００１３】
一般的な実施に従って、図に例示される様々な特徴は一定の比例に応じて描写されていない。従って、様々な特徴の大きさ（dimension）は、明快さのために、恣意的に拡張または縮小されうる。加えて、図のうちのいくつかは、明快さのために簡略化される。このように、図には、所与の装置（例えば、デバイス）または方法のコンポーネント全てが描写されるわけではない。最後に、明細書および図面全体を通して同様の特徴を表すために、同様の参照番号が使用されうる。
【００１４】
本開示の様々な態様が次に記述される。本明細書の教示が多種多様な形態で組み込まれうること、および、本明細書に開示されている任意の特定の構造、機能、または両方が、単なる代表例に過ぎないことは明らかとなるべきである。本明細書の教示に基づいて、当業者は、本明細書に開示される態様が、あらゆる別の態様とは独立して実施されうること、且つ、これらの態様のうちの２またはそれより多くが様々な方法で組み合わせられうることを認識するべきである。例えば、本明細書に示される態様を任意の数使用して、装置が実現され、方法が実施されうる。さらに、本明細書に示される１または複数の態様に加えて、あるいは、それらを除いて、別の構造、機能性、または、構造と機能性を使用して、そのような装置が実現され、あるいは、そのような方法が実施されうる。さらに、態様は、特許請求の範囲の少なくとも１つのエレメントを備えうる。
【００１５】
図１は、例示的な通信システム１００（例えば、通信ネットワークの一部）のいくつかのノードを示す。例示の目的のために、本開示の様々な態様は、互いに通信する１または複数のアクセス端末、アクセスポイント、および、ネットワークエンティティに関連して記述されるであろう。しかしながら、本明細書の教示が、別の専門用語を使用して参照される別のタイプの装置または別の類似した装置に対して適用可能であることは認識されるべきである。例えば、様々なインプリメンテーションにおいて、アクセスポイントは、基地局、ノードＢ、ホームノードＢ、発展型ノードＢ、ホーム発展型ノードＢなどと呼ばれるか、あるいは、それとして実施され、アクセス端末は、ユーザ機器、モバイルなどと呼ばれるか、あるいは、それとして実施されうる。
【００１６】
システム１００内のアクセスポイントは、システム１００のカバレッジエリア内に配置されるか、あるいは、それを通してローミングしうる１または複数の無線端末（例えば、アクセス端末１０２）に１または複数のサービス（例えば、ネットワーク接続性）を提供する。例えば、様々な時点において、アクセス端末１０２は、アクセスポイント１０４、または、システム１００内のある別のアクセスポイント（図示されない）に接続しうる。各アクセスポイントは、広域ネットワーク接続性を容易にするために、１または複数のネットワークエンティティ（便宜上、ネットワークエンティティ１０６で表される）と通信しうる。
【００１７】
これらのネットワークエンティティは、例えば、１または複数の無線および／またはコアネットワークエンティティのような様々な形態をとりうる。このように、様々なインプリメンテーションにおいて、ネットワークエンティティ１０６は、ネットワーク管理（例えば、動作、アドミニストレーション、管理、およびプロビジョニングエンティティを介して）、呼制御、セッション管理、モビリティ管理、ゲートウェイ機能、相互作用機能、または、いくつかの別の適切なネットワーク機能性のうちの少なくとも１つのような機能性を表しうる。いくつかの態様において、モビリティ管理は、トラッキングエリア、位置エリア、ルーティングエリア、または、いくつかの別の適切な技術を用いて、アクセス端末の現在位置を追跡することと、アクセス端末のページングを制御することと、アクセス端末にアクセス制御を提供することとに関する。あるいは、これらのネットワークエンティティのうちの２またはそれよりも多くが、ネットワーク内で同じ場所に位置づけられるか、あるいは、分散される。
【００１８】
図１の例において、アクセスポイント１０４は、コアネットワークを介して（例えば、ネットワークエンティティ１０６を介して）提供される従来のアクセスに加えてローカルＩＰアクセスを提供する。このように、アクセス端末１０２が、アクセスポイント１０４に接続されると、アクセス端末１０２は、ローカルＩＰアクセスを介して１または複数のサービス（ローカルＩＰサービス１０８で表される）にアクセスすることができる。
【００１９】
ローカルサービスは、様々な形態をとりうる。いくつかのインプリメンテーションにおいて、ローカルサービスは、ローカルネットワーク上のエンティティによって提供されるサービスに関係しうる。例えば、ローカルＩＰサービス１０８は、アクセスポイント１０４（例えば、ローカルルータによってサービス提供されるローカルエリアネットワーク１１０）と同一のＩＰサブネットワーク上に存在するデバイスを表しうる。この場合、ローカルサービスにアクセスすることは、ローカルプリンタ、ローカルサーバ、ローカルコンピュータ、別のアクセス端末、あるいは、ＩＰサブネットワーク上のある別のエンティティにアクセスすることを含みうる。有利に、アクセス端末１０２は、無線オペレータコアネットワーク経由で（例えば、ネットワークエンティティ１０６を通して）トラフィックをルーティングすることなく、このローカルサービスにアクセスポイント１０４を介してアクセスしうる。
【００２０】
いくつかのインプリメンテーションにおいて、ローカルサービスは、別のネットワーク（例えば、インターネット１１２）への接続性に関係しうる。例えば、ローカルＩＰサービス１０８は、インターネットサービスプロバイダ（「ＩＳＰ」）に、インターネット接続を提供し、アクセス端末１０２は、このインターネット接続を使用し、インターネットを介して（例えば、ウェブサーバを介して）利用可能なサービスにアクセスすることができる。結果として、ローカルＩＰアクセスを使用して、ネットワークの異なるアクセス端末は、無線オペレータコアネットワーク経由でトラフィックをルーティングすることなく、特定の位置（例えば、ユーザの家、使用者の施設、インターネットホットスポットなど）において、インターネットアクセスが提供されうる。
【００２１】
下記にさらに詳細に論述されるように、そのようなローカルＩＰアクセスを容易にするために、アクセスポイント１０４と関連付けられた（例えば、同じ場所に位置づけられた）ローカルＩＰアクセスエンティティ１１４は、ＩＰ接続点を提供し、ＩＰアドレスをアクセス端末１０２に割り当てることができる。下記にさらに詳細に論述されるように、そのようなローカルエンティティは、例えば、ＬＴＥシステムの場合にローカルパケットデータネットワーク（ＰＤＮ）ゲートウェイ（Ｌ−ＰＧＷ）を、あるいは、ＵＭＴＳシステムの場合に、ローカルＳＧＳＮ（Ｌ−ＳＧＳＮ）と協調しうるローカルＧＧＳＮ（Ｌ−ＧＧＳＮ）を備えうる。いくつかの態様において、このローカルエンティティは、このエンティティのコアネットワークバージョン（例えば、ＬＴＥの場合のＰＧＷ、および、ＵＭＴＳの場合のＧＧＳＮとＳＧＳＮ）によって提供される機能性のサブセットを提供しうる。
【００２２】
さらに、本明細書における教示に従って、ローカルＩＰアクセスエンティティ１１４、および／または、ある別のローカルエンティティは、アクセス端末に向けられたパケットが、ローカルＩＰアクセスを介して受信された場合に、アクセス端末のページングを可能にする機能性を提供しうる。例えば、１つのページングスキームにおいて、ローカルエンティティは、アクセス端末１０２に向けられたローカルＩＰアクセスパケットの受信に応じて、アクセス端末をページングする。別のページングスキームにおいて、ローカルエンティティは、パケットまたはメッセージをコアネットワークに送信して、そのコアネットワークに、アクセス端末１０２をページングさせる。
【００２３】
ここで、コアネットワークからのパケットが、アクセス端末１０２に向けられている場合に、コアネットワークによって（例えば、アクセス端末１０２と現在関連付けられているモビリティマネジャ１１６によって）提供される従来のページング機能性が、アクセス端末１０２をページングすることは認識されるべきである。しかしながら、コアネットワークは、ローカルＩＰアクセスを介してアクセスポイント１０４で受信されるパケットに気づかない可能性がある。よって、コアネットワークは、通常、そのようなパケットのためにアクセス端末１０２をページングしないであろう。
【００２４】
ここで、例示的なローカルＩＰアクセスのページング動作が、図２〜４のフローチャートに関して、より詳細に記述されるであろう。便宜上、図２〜４の動作（あるいは、本明細書で論述または教示されるあらゆる別の動作）は、特定のコンポーネント（例えば、図１および図５〜８に描写されるコンポーネント）によって実行されているように記述されうる。しかしながら、これらの動作が、別のタイプのコンポーネントによって実行されうること、且つ、異なる数のコンポーネントを使用して実行されうることは認識されるべきである。本明細書に記述される動作のうちの１または複数が、所与のインプリメンテーションにおいて用いられない可能性があることも認識されるべきである。
【００２５】
図２のフローチャートは、アクセス端末に向けられたローカルＩＰアクセスパケットの受信に応じて局所的に開始されたアクセス端末のページングに関して実行されうるいくつかの動作を記述する。いくつかのインプリメンテーションにおいて、例示される動作は、アクセス端末に現在サービスを提供しているアクセスポイントによって（例えば、アクセスポイント内に実装されるＬ−ＰＧＷまたはＬ−ＳＧＳＮのようなローカルエンティティによって）実行される。しかしながら、下で論述されるように、別のインプリメンテーションにおいて、例示される動作のうちのいくつかは、アクセス端末に現在サービスを提供しているアクセスポイントと同じ場所に位置付けされていないローカルエンティティ（例えば、Ｌ−ＰＧＷまたはＬ−ＳＧＳＮ）によって実行されうる。説明の目的のために、図２の動作は、ページングを開始するローカルページングエンティティ（例えば、アクセスポイント、ローカルゲートウェイ、または、ある別の適切なエンティティを備えうる）に照らして記述されるであろう。
【００２６】
ローカルページングを提供するために、ローカルページングエンティティは、特定の情報を獲得する必要がありうる。例えば、ページングメッセージは、一般的に、ページングされているアクセス端末の識別子を含む。かくして、ローカルページングエンティティは、ページングメッセージに組み込むためのアクセス端末の識別子を獲得する必要がありうる。加えて、いくつかのインプリメンテーションにおいて、ローカルページングエンティティは、そのローカルページングエンティティが、ページングメッセージを時宜に送信できるように、アクセス端末と関連付けられたページングタイミング情報を獲得する。図２の例において、この情報は、ローカルページングエンティティを通過するメッセージをスニッフィングすることで獲得される。特に、そのようなスニッフィング動作の例は、ブロック２０２〜２０６に示される。次に、ブロック２０８〜２１２は、アクセス端末に向けられたローカルＩＰアクセスパケットの受信に応じて実行されうる動作の例を記述する。
【００２７】
ブロック２０２で表されるように、ある時点において、ローカルページングエンティティ（例えば、アクセスポイント）は、アクセス端末のページングを容易にするために使用されうる情報を含むメッセージを受信する。ここで受信されるメッセージのタイプは、様々な形態をとりうる。
【００２８】
いくつかのインプリメンテーションにおいて、この情報は、非アクセス層（ＮＡＳ）メッセージによって搬送されうる。例えば、アクセスポイントを介して、アクセス端末からモビリティマネジャ（例えば、ＭＭＥまたはＳＧＳＮ）に、またはその逆に送信されるＮＡＳメッセージは、この情報を含みうる。そのようなＮＡＳメッセージの例は、アタッチメッセージ、位置エリア更新メッセージ、および、ルーティングエリア更新メッセージを含む。
【００２９】
いくつかのインプリメンテーションにおいて、この情報は、セッション管理メッセージで搬送されうる。例えば、ＵＭＴＳにおいて、ＰＤＰコンテキストを管理するための、コアネットワークＳＧＳＮ（またはＭＭＥ）とＬ−ＧＧＳＮ（またはＬ−ＰＧＷ）との間のセッション管理メッセージ（ＬＴＥにおけるＰＤＮ接続）は、この情報を含みうる。さらに、ＬＴＥにおいてＮＡＳメッセージは暗号化されるため、ホーム発展型ノードＢによってスニッフィングされないかもしれないが、ＧＵＴＩのような別情報は、暗号化されて送信されないため、ホーム発展型ノードＢによってスニッフィングされうる。
【００３０】
ブロック２０４で表されるように、ローカルページングエンティティは、受信メッセージを検査し、所望の情報を決定する（例えば、メッセージのコンテンツを読み取り、その情報を後で使用するために記憶することによって）。この所望の情報は、様々な形態をとりうる。
【００３１】
メッセージのうちのいくつかは、アクセス端末の識別子を含みうる。例えば、この識別子は、ＩＭＳＩ（international mobile subscriber identity）、Ｐ−ＴＭＳＩ（packet temporary mobile subscriber identity）、ＧＵＴＩ（globally unique temporary identifier）、または、ある別の適切識別子から構成されうる。
【００３２】
メッセージのいくつかは、アクセス端末と関連付けられたページングタイミング情報を含みうる。このページングタイミング情報は、例えば、アクセス端末がページングされる予定の周期性を示しうる。このタイミング情報は、例えば、不連続受信周期（ＤＲＸ）情報、あるいは、ある別の適切な情報のような様々な形態をとりうる。
【００３３】
ブロック２０６で表されるように、所望の情報が、受信メッセージから抽出されると、ローカルページングエンティティは、そのメッセージを、適切な目的地（例えば、アクセス端末、モビリティマネジャなど）に転送する。いくつかの場合において、ローカルページングエンティティは、ブロック２０２〜２０６の動作を繰り返しうる（例えば、ページングタイミング情報が変化した場合に）。
【００３４】
ブロック２０８で表されるように、あの時点において、ローカルページングエンティティ（例えば、Ｌ−ＰＧＷまたはＬ−ＳＧＳＮ）は、アクセス端末に向けられたパケットをローカルＩＰアクセスから受信する。例えば、上で論述されたように、アクセス端末が現在キャンプしている（アイドルモードで）アクセスポイントは、そのアクセス端末に向けられたパケットを、アクセスポイントに接続されたＬＡＮを介して受信することができる。
【００３５】
ブロック２１０で表されるように、パケットの受信に基づいて、ローカルページングエンティティは、少なくとも１つのページングメッセージをアクセス端末に送信する。ここで、ローカルページングエンティティは、ブロック２０４で獲得された情報を使用して、１または複数のページングメッセージを発行することができる。例えば、ページングメッセージは、獲得されたアクセス端末識別子を含みうる。様々なインプリメンテーションにおいて、次に、アクセス端末をいつページングするかを決定するために異なる技術が用いられうる。
【００３６】
いくつかのインプリメンテーションにおいて、ローカルページングエンティティは、獲得されたページングタイミング情報に基づいてページングメッセージを送信する。例えば、ページングタイミング情報は、ページングインジケータチャネルにおけるページングインジケーションおよびページングチャネルにおけるページングメッセージに対して、特定のタイミングを定義しうる（例えば、その情報は、アクセス端末に割り当てられたＤＲＸを備えうる）。この場合、ローカルページングエンティティは、アクセス端末が、ページングインジケーションおよびページングメッセージをモニタするためにアイドルモードからウェイクアップするように構成される時点で、ページングインジケーションを設定し、且つページングメッセージを送信する。
【００３７】
別のインプリメンテーションにおいて、ブロック２０８でのパケットの受信に基づいて、ローカルページングエンティティは、ページングチャネルの全てのページングオケージョン（paging occasion）でアクセス端末をページングし、ページングインジケータチャネルの全てのページングインジケータを、ページングが利用可能であることを示すように設定しうる（例えば、全てのページングインジケータを「１」に設定する）。この場合、アクセス端末は、アクセス端末が、ページングインジケータをモニタするためにウェイクアップする時はいつでも、そのページングインジケータが設定されていることを悟るであろう。このように、アクセス端末は、ページングチャネルのページングメッセージを、次の指定されたページングオケージョン（ページング機会）でモニタするであろう。よって、ページングメッセージが、ページングチャネルの各ページング機会で送信されるため、アクセス端末は、ページングメッセージを受信するであろう。
【００３８】
ブロック２１２で表されるように、アクセス端末がページングメッセージを受信すると、アクセス端末は、アクセスポイントからのパケット転送を開始するために、そのサービスアクセスポイントにアクセスしうる。上に論述されたように、このアクセスポイントは、ローカルページングエンティティを含むか、あるいは、ローカルページングエンティティと通信状態にありうる。
【００３９】
図３のフローチャートは、コアネットワークに、アクセス端末をページングさせるローカルエンティティと共に実行されうるいくつかの動作を記述する。例えば、アクセス端末に向けられたローカルＩＰアクセスパケットの受信を受けて、ローカルエンティティ（例えば、Ｌ−ＰＧＷまたはＬ−ＳＧＳＮ）は、アクセス端末に向けられたパケットをコアネットワークに送信しうる。このパケットを受信すると、コアネットワークは、アクセス端末のページングを開始する。
【００４０】
ブロック３０２によって表されるように、ある時点において、ローカルエンティティ（例えば、Ｌ−ＰＧＷまたはＬ−ＳＧＳＮ）は、アクセス端末に向けられたパケットをローカルＩＰアクセスから受信する。例えば、上で論述されたように、アクセス端末が現在キャンプしている（例えば、アイドルモードで）アクセスポイントは、アクセスポイントに接続されたＬＡＮを介して、そのアクセス端末に向けられたパケットを受信しうる。
【００４１】
ブロック３０４で表されるように、ブロック３０２でのパケットの受信に基づいて、ローカルエンティティは、パケットをネットワークエンティティに（例えば、モビリティマネジャまたはサービングゲートウェイに）送信して、そのネットワークに、アクセス端末をページングさせる。ここで、送信されているパケットは、アクセス端末に向けられる（例えば、パケットによって特定される宛先アドレスは、そのアクセス端末である）。このように、パケットの受信を受けて、コアネットワーク（例えば、モビリティマネジャ）は、アクセス端末のページングを開始しうる。
【００４２】
ネットワークエンティティに送信されるパケットは、様々な形態をとりうる。いくつかのインプリメンテーションにおいて、パケットは、データパケットを備えうる。いくつかのインプリメンテーションにおいて、パケットは、制御パケットを備えうる。いくつかのインプリメンテーションにおいて、パケットは、アクセス端末によって使用される予定の任意のデータあるいは別の情報を含まない、いわゆるダミーパケットを備えうる。例えば、ダミーパケットは、アクセス端末のアドレスをパケットヘッダの宛先アドレスフィールドに含みうる。しかしながら、パケットは、任意の別のデータ／情報を含まない可能性がある。あるいは、パケットは、アクセス端末が無視することを企図したデータ／情報を含みうる。
【００４３】
パケットは、様々な方法でネットワークエンティティに送信されうる。いくつかのインプリメンテーションにおいて、パケットは、インターネットを通りローカルＩＰアクセスを介してコアネットワークに（例えば、モビリティマネジャ、またはサービングゲートウェイに）送信される。パケットは、さらに、インプリメンテーションがこのタイプのパケットフローをサポートしている場合に、ローカルエンティティから直接コアネットワークに（例えば、Ｌ−ＧＧＳＮから、ＳＧＳＮのようなモビリティマネジャに）送信されうる。いくつかのインプリメンテーションにおいて、パケットは、ＧＰＲＳトンネリングプロトコル（ＧＴＰ）トンネルのようなプロトコルトンネルを介して送信されうる。
【００４４】
上述されたように、アクセス端末に向けられたパケットの受信を受けて、コアネットワークは、アクセス端末がページングされる予定であることを示すメッセージを送信するであろう。かくして、ブロック３０６で表されるように、ローカルエンティティは、ブロック３０４でパケットを送信した結果として、メッセージをネットワークエンティティから受信するであろう。
【００４５】
ブロック３０８で表されるように、ローカルエンティティは、ブロック３０６でのメッセージの受信に基づいて、ページングメッセージをアクセス端末に送信するであろう。アクセス端末が、ページングメッセージを受信すると、アクセス端末は、そのサービングアクセスポイント（例えば、ローカルエンティティを含みうる、あるいは、ローカルエンティティと通信状態にありうる）にアクセスしうる。次に、アクセスポイントは、ローカルＩＰアクセスパケットをアクセス端末に送信しうる。
【００４６】
図４のフローチャートは、アクセス端末のページングをコアネットワークに要求するローカルエンティティに関して実行されうるいくつかの動作を記述する。例えば、アクセス端末に向けられたローカルＩＰアクセスパケットの受信を受けて、ローカルエンティティ（例えば、Ｌ−ＰＧＷまたはＬ−ＳＧＳＮ）は、アクセス端末のページングをコアネットワークに明示的に要求するメッセージをコアネットワークに送信しうる。
【００４７】
ブロック４０２で表されるように、ある時点において、ローカルエンティティ（例えば、Ｌ−ＰＧＷまたはＬ−ＳＧＳＮ）は、アクセス端末に向けられたパケットをローカルＩＰアクセスから受信する。例えば、上述されたように、アクセス端末が現在キャンプしている（例えば、アイドルモードで）アクセスポイントは、アクセスポイントに接続されたＬＡＮを介して、そのアクセス端末に向けられたパケットを受信しうる。
【００４８】
ブロック４０４で表されるように、ブロック４０２でのパケットの受信に基づいて、ローカルエンティティは、アクセス端末のページングをネットワークに要求するメッセージをネットワークエンティティに送信する。ここで、ネットワークエンティティは、例えば、モビリティマネジャ（例えば、ＭＭＥまたはＳＧＳＮ）あるいはサービングゲートウェイ（例えば、ＳＧＷ）を備えうる。メッセージは、アクセス端末の識別子と、アクセス端末がページングされる予定であること（例えば、ローカルＩＰアクセスのために）を示すインジケーションとを含みうる。いくつかのインプリメンテーションにおいて、このメッセージは、ＲＡＮＡＰ（radio access network application part）メッセージ（例えば、この目的のために画定された新しいメッセージ、または、この目的に適応した古いメッセージ）を備えうる。
【００４９】
メッセージは、様々な方法でネットワークエンティティ送信されうる。いくつかのインプリメンテーションにおいて、メッセージは、ローカルエンティティから直接コアネットワークに（例えば、モビリティマネジャに）送信されうる。あるいは、メッセージは、インターネット経由でローカルＩＰアクセスを介してコアネットワークに送信されうる。
【００５０】
アクセス端末をページングする要求を受信すると、コアネットワーク（例えば、モビリティマネジャ）は、アクセス端末がページングされる予定であることを示すメッセージを送信することによってページングを開始しうる。かくして、ブロック４０６で表されるように、ローカルエンティティは、ブロック４０４でパケットを送信した結果として、メッセージをネットワークエンティティから受信するであろう。
【００５１】
ブロック４０８で表されるように、ローカルエンティティは、ブロック４０６でのメッセージの受信に基づいてページングメッセージをアクセス端末に送信するであろう。アクセス端末が、ページングメッセージを受信すると、アクセス端末は、そのサービングアクセスポイント（例えば、ローカルエンティティを含みうる、あるいは、ローカルエンティティと通信状態にありうる）にアクセスしうる。次に、アクセスポイントは、ローカルＩＰアクセスパケットをアクセス端末に送信しうる。
【００５２】
本明細書における教示が、様々なタイプのネットワークで実施されうることは認識されるべきである。例えば、いくつかの態様において、ＬＴＥシステムの場合にモビリティ管理エンティティ（ＭＭＥ）および／またはサービングゲートウェイ（ＳＧＷ）によって提供される機能性は、ＵＭＴＳシステムの場合に、ＭＳＣ／ＶＬＲ（mobile switching center/visitor location register）および／またはサービングＧＰＲＳサポートノード（ＳＧＳＮ）によって提供されうる。さらに、いくつかの態様において、ＬＴＥシステムの場合にＰＧＷによって提供される機能性は、ＵＭＴＳシステムの場合にゲートウェイＧＰＲＳサポートノード（ＧＧＳＮ）によって提供されうる。例示の目的のために、本開示の様々な態様が、図５のＵＭＴＳベースのネットワークおよび図６のＬＴＥベースのネットワークに照らして、ここに記述されるであろう。
【００５３】
図５は、本明細書において教示されるようなローカルページング機能性を提供するために、ＵＭＴＳベースのネットワーク５００で用いられうる例示的なコンポーネントを示す。この例において、ローカルＩＰアクセスをサポートするホームノード５０４（例えば、アクセスポイント）は、ホームノードＢ（ＨＮＢ）５０６、および、ローカルエンティティＬ−ＧＧＳＮ ５１８とＬ−ＳＧＳＮ ５２０を含む。
【００５４】
ユーザ機器（ＵＥ）５０２は、無線信号を介してＨＮＢ ５０６と通信する（例えば、ＵＴＲＡプロトコルを介して）。ＨＮＢ ５０６は、ＳＧＳＮ ５１０を介してコアネットワークと通信する。いくつかのインプリメンテーションにおいて、ＨＮＢは、１または複数のゲートウェイ（ＨＮＢ−ＧＷ）を介してコアネットワークコンポーネントに接続されうる。従って、随意的なＨＮＢ−ＧＷ ５０８は、ＨＮＢ ５０６とＳＧＳＮ ５１０との間に破線で表される。ＳＧＳＮ ５１０は、ＧＧＳＮ ５１２と通信し、それは、ＰＣＲＦ（policy and charging resource function）５１４とパケットデータネットワーク（ＰＤＮ）５１６（例えば、インターネット、イントラネット、イントラオペレータＩＭＳプロビジョニング）と通信する。
【００５５】
上述されたように、Ｌ−ＧＧＳＮ ５１８は、ＩＰ接続点を提供し、ＩＰアドレスをＵＥ ５０２に割り当てる。このように、いくつかの態様において、Ｌ−ＧＧＳＮ ５１８は、ローカルアクセスに対して、ＧＧＳＮ ５１２の機能性のサブセットを提供する。いくつかの態様において、Ｌ−ＳＧＳＮ ５２０は、ＰＤＮ接続性確立を、ローカルＩＰアクセスに、ベアラ確立をローカルＩＰのＰＤＮ接続性に提供し、ローカルＩＰアクセスにローカルセッション管理手順をサポートする。Ｌ−ＳＧＳＮ ５２０は、ローカルＩＰアクセスに関するＵＥ ５０２からのＮＡＳメッセージを処理し、全てのＵＥ ＮＡＳメッセージをＳＧＳＮ ５１０に転送しうる。このように、いくつかの態様において、Ｌ−ＳＧＳＮ ５２０は、ローカルアクセスに、ＳＧＳＮ ５１０の機能性のサブセットを提供する。
【００５６】
図２のインプリメンテーションにおいて、Ｌ−ＳＧＳＮ ５２０は、ＵＥ ５２０をページングするために必要なあらゆる情報を獲得するために、Ｌ−ＳＧＳＮ ５２０を通過するメッセージ（例えば、ＮＡＳメッセージ）をスニッフィングしうる。加えて、ローカルＩＰアクセスパケットは、Ｌ−ＧＧＳＮ ５１８で受信され、次に、Ｌ−ＳＧＳＮ ５２０に転送される。次に、Ｌ−ＳＧＳＮ ５２０は、例えば、ＨＮＢ ５０６を介してページングメッセージをＵＥ ５０２に送信することによって、ＵＥ ５０２のページングを開始しうる。Ｌ−ＳＧＳＮを含まないインプリメンテーションにおいて、ＨＮＢ ５０６は、スニッフィングとページングを行うように構成されうる。
【００５７】
図３および４のインプリメンテーションにおいて、ローカルＩＰアクセスパケットは、Ｌ−ＧＧＳＮ ５１８で受信され、次に、Ｌ−ＳＧＳＮ ５２０に転送される。Ｌ−ＳＧＳＮ ５２０は、次に、ＵＥ ５０２のページングを開始するために、パケットをＳＧＳＮ ５１０またはＧＧＳＮ ５１２に送信しうる（あるいは、要求メッセージをＳＧＳＮ ５１０に送信する）。ＳＧＳＮ ５１０は、次に、ＵＥ ５０２がページングされる必要があることを示すメッセージをＨＮＢ ５０６に送信する（例えば、Ｌ−ＳＧＳＮ ５１０が、ＨＮＢ ５０６のローカル無線ネットワークコントローラ（ＲＮＣ）にページングを発行する）。それに応じて、ＨＮＢ ５０６は、次に、ページングメッセージをＵＥ ５０２に送信しうる。
【００５８】
ＨＮＢが回線交換（ＣＳ）トラフィックをサポートするインプリメンテーションにおいて、ＵＥは、ＣＳ固有ＤＲＸ（ＤＲＸｃｓ）を使用してＣＳドメインからページングされうる。上記のように、ローカルエンティティ（例えば、ＨＮＢ）は、アクセス端末識別子（例えば、Ｐ−ＴＭＳＩ）を集めるために、ＮＡＳメッセージをスニッフィングしうる。次に、異なるページングメッセージが、ＵＥがアイドルモードであるか、接続モードであるかに依存して用いられうる。ＵＥがアイドルモードである（ＲＲＣ−ＣＳが存在しない）場合、タイプ１のページングメッセージ（例えば、Ｐ−ＴＭＳＩ、ページング発信器＝ＳＧＳＮ、パケット交換（ＰＳ）ドメインを含む）が発行されうる。ＵＥが接続モードである（ＲＲＣ−ＣＳが存在する）場合、タイプ２のページングメッセージ（例えば、Ｐ−ＴＭＳＩ、ルーティングエリア、ＰＳドメインを含む）が発行されうる。
【００５９】
図６は、本明細書で教示されるような機能性を提供するために、ＬＴＥベースのネットワーク６００において用いられうる例示的なコンポーネントを示す。この例において、ホームノード６０４（例えば、アクセスポイント）は、ローカルＩＰアクセスをサポートするホーム発展型ノードＢ（ＨｅＮＢ）６０６と、ローカルエンティティＬ−ＰＧＷ ６１８とを含む。
【００６０】
ユーザ機器（ＵＥ）６０２は、無線信号を介して（例えば、Ｅ−ＵＴＲＡプロトコルを介して）ＨｅＮＢ ６０６と通信する。ＨｅＮＢ ６０６は、線６２０で表されるＳ１−ＭＭＥプロトコルを介してＭＭＥ ６０８と通信する。ＨｅＮＢ ６０６は、線６２２で表されるＳ１-Ｕプロトコルを介してＳＧＷ ６１０と通信しうる。ＭＭＥ ６０６は、さらに、線６２４で表されるＳ１１プロトコルを介してＳＧＷ ６１０と通信する。ＳＧＷ ６１０は、ＰＧＷ ６１２と通信し、ＰＧＷ ６１２は、ＰＣＲＦ ６１４およびＰＤＮ ５１６と通信する。
【００６１】
上述されたように、Ｌ−ＰＧＷ ６１８は、ＩＰ接続点を提供し、ＩＰアドレスをＵＥ ６０２に割り当てる。ここで、ＮＡＳシグナリングは暗号化されるため、ＨｅＮＢ ６０６は、従来のインターフェースを通してＭＭＥ機能性をプロキシすることができない。このように、線６２６で表されるように、Ｓ１１プロトコルインターフェース（線６２０で表される）のサブセットは、ＭＭＥ ６０８とＬ−ＰＧＷ ６１８との間に提供される（例えば、ＰＤＮ接続性とベアラ設定を可能にするために）。従って、Ｌ−ＰＧＷ ６１８は、ローカルＩＰアクセストラフィックを転送し、ローカルＩＰアクセスのためのローカルセッション管理をサポートしうる。このように、いくつかの態様において、Ｌ−ＰＧＷ ６１８は、ローカルアクセスに対して、ＰＧＷ ６１２の機能性のサブセットを提供する。
【００６２】
図２のインプリメンテーションにおいて、ＨｅＮＢ ６０６は、ＵＥ ６０２をページングするために必要なあらゆる情報を獲得するために、ＨｅＮＢ ６０６を通過するメッセージをスニッフィングしうる。次に、ＨｅＮＢ ６０６は、この情報をＬ−ＰＧＷ ６１８に渡しうる。ローカルＩＰアクセスパケットが、Ｌ−ＰＧＷ ６１８で受信されると、その結果、Ｌ−ＰＧＷ ６１８は、例えば、ＨｅＮＢ ６０６を介してページングメッセージをＵＥ ６０２に送信することによって、ＵＥ ６０２のページングを開始しうる。
【００６３】
図３および４のインプリメンテーションにおいて、ローカルＩＰアクセスパケットが、Ｌ−ＰＧＷ ６１８で受信されると、Ｌ−ＰＧＷ ６１８は、ＵＥ ６０２のページングを開始するために、パケットをＭＭＥ ６１０またはＳＧＷ ６１０に送信しうる（または、要求メッセージをＭＭＥ ６０８に送信しうる）。次に、ＭＭＥ ６０８は、ＵＥ ６０２がページングされる必要があることを示すメッセージをＨｅＮＢ ６０６に送信し、その上で、ＨｅＮＢ ６０６は、ページングメッセージをＵＥ ６０２に送信する。
【００６４】
上述されたように、ローカルＩＰアクセスをサポートするための機能性は、アクセスポイント（例えば、ＨＮＢまたはＨｅＮＢ）と同じ場所に位置づけられるか、あるいは、他の場所に位置づけられうる。図７は、ローカルＩＰアクセスをサポートするローカルエンティティ７０８（例えば、ローカルゲートウェイ）が、ホームアクセスポイント７０４と同じ場所に位置づけされていないシステム７００の例を示す。ここで、ダウンリンクのローカルＩＰアクセストラフィックは、この例において、ローカルエンティティ７０８から、ホームアクセスポイント７０４を通ってアクセス端末７０２に流れうる。逆に、ダウンリンクのコアネットワークトラフィックは、コアネットワーク７０６から、ホームアクセスポイント７０４を通ってアクセス端末７０２に流れうる。例えば、ＬＴＥシステムにおいて、ローカルエンティティ７０８は、Ｌ−ＰＧＷを備え、ホームアクセスポイント７０４は、ＨｅＮＢを備え、コアネットワーク７０６は、ＭＭＥおよびＳＧＷを備える。それによって、Ｌ−ＰＧＷは、ローカルＩＰアクセスのためにＭＭＥおよびＳＧＷと通信することができる（例えば、ダミーパケットを送信する）。同様に、ＵＭＴＳシステムにおいて、ローカルエンティティ７０８は、Ｌ−ＧＧＳＮおよびＬ−ＳＧＳＮを備え、ホームアクセスポイント７０４は、ＨＮＢを備え、コアネットワーク７０６は、ＳＧＳＮおよびＧＧＳＮを備えうる。
【００６５】
図８は、本明細書で教示されるようなローカルＩＰアクセスページング動作を実行するために、ローカルノード（例えば、アクセスポイント１０４またはローカルゲートウェイ７０８）に組み込まれうるいくつかの例示的なコンポーネントを示す。記述されるコンポーネントは、通信システム内の別のノードにも組み込まれうる。例えば、システム内の別のノードは、同様の機能性を提供するために、ローカルノード８０２について記述されるコンポーネントと類似したコンポーネントを含みうる。所与のノードは、記述されたコンポーネントのうちの１または複数を含みうる。例えば、アクセスポイントは、アクセス端末が、複数の周波数で動作すること、および／または、異なるテクノロジーを介して通信することを可能にする複数のトランシーバコンポーネントを含みうる。
【００６６】
図８で示されるように、ローカルノード８０２は、信号（例えば、メッセージおよびパケット）を送信するための送信機８０４と、信号を受信するための受信機８０６とを含む。加えて、ローカルノード８０２は、別のノードとの通信（例えば、メッセージ／パケットの送信および受信）を管理するため、且つ、本明細書で教示される別の関連する機能を提供するために、通信コントローラ８０８を含みうる。いくつかのインプリメンテーションにおいて、この通信コントローラ機能性は、送信機８０４および／または受信機８０６に組み込まれうる。ローカルノード８０２は、さらに、ローカルＩＰアクセスページング関連動作（例えば、アクセス端末識別子とページングタイミング情報を決定すること、ページングメッセージを送信すること、ページングインジケータを設定すること、アクセス端末に向けられたパケットの受信に基づいてパケット(例えば、ダミーパケット)またはメッセージを送信すること）を提供するための、且つ、本明細書で教示される別の関連する機能を提供するためのページングコントローラ８１０を含みうる。
【００６７】
いくつかのインプリメンテーションにおいて、図８のコンポーネントは、１または複数のプロセッサ（例えば、この機能性を提供するためにプロセッサによって使用される情報またはコードを記憶するためのデータメモリを使用する、および／または、それを組み込む）に実装されうる。例えば、ブロック８０８および８１０の機能性は、ローカルノード８０２の１つのプロセッサまたは複数のプロセッサと、ローカルノード８０２のデータメモリとによって実施されうる（例えば、適切なコードの実行、および／または、プロセッサコンポーネントの適切な構成によって）。
【００６８】
いくつかの態様において、本明細書の教示は、マクロスケールカバレッジ（例えば、典型的に、マクロセルネットワークまたはＷＡＮと呼ばれる、３Ｇネットワークのような大きいエリアのセルラネットワーク）と、より小さいスケールのカバレッジ（例えば、典型的に、ＬＡＮと呼ばれる、レジデンスベースまたは建物ベースのネットワーク環境）とを含むネットワークで用いられうる。アクセス端末（ＡＴ）が、そのようなネットワークを通って移動すると、アクセス端末は、ある位置では、マクロカバレッジを提供するアクセスポイントからサービス受け、一方で、アクセス端末は、別の位置では、より小さいスケールのカバレッジを提供するアクセスポイントからサービスを受ける。いくつかの態様において、より小さいカバレッジのノードは、インクリメンタルな容量の増加、建物内のカバレッジ、および、異なるサービス（例えば、よりロバストなユーザ経験のために）を提供するために使用されうる。
【００６９】
比較的大きいエリアにわたってカバレッジを提供するノード（例えば、アクセスポイント）は、マクロアクセスポイントと呼ばれ、比較的小さいエリア（例えば、レジデンス）にわたってカバレッジを提供するノードは、フェムトアクセスポイントと呼ばれうる。本明細書における教示が、別のタイプのカバレッジエリアと関連付けられたノードに対して適応可能であることは認識されるべきである。例えば、ピコアクセスポイントは、マクロエリアよりも小さく、フェムトエリアよりも大きいエリアにわたって、カバレッジ（例えば、商業ビル内のカバレッジ）を提供しうる。様々なアプリケーションにおいて、マクロアクセスポイント、フェムトアクセスポイント、あるいは、別のアクセスポイントタイプのノードを参照するために、別の用語が使用されうる。例えば、マクロアクセスポイントは、アクセスノード、基地局、アクセスポイント、発展型ノードＢ、マクロセルとして構成されるか、あるいはそのように呼ばれる。また、フェムトアクセスポイントは、ホームノードＢ、ホーム発展型ノードＢ、アクセスポイント基地局、フェムトセルなどとして構成されるか、あるいはそのように呼ばれる。いくつかのインプリメンテーションにおいて、ノードは、１または複数のセルあるいはセクタと関連付けられうる（例えば、そう呼ばれるか、あるいは、それに分割される）。マクロアクセスポイント、フェムトアクセスポイント、または、ピコアクセスポイントと関連付けられたセルまたはセクタは、それぞれ、マクロセル、フェムトセル、ピコセルと呼ばれうる。
【００７０】
図９は、本明細書における教示が実施されうる、複数のユーザをサポートするように構成された無線通信システム９００を示す。システム９００は、例えば、各セルが、対応するアクセスポイント９０４（例えば、アクセスポイント９０４Ａ〜９０４Ｇ）からサービスを受けているマクロセル９０２Ａ〜９０２Ｇのような複数のセル９０２に通信を提供する。図９に示されるように、アクセス端末９０６（例えば、アクセス端末９０６Ａ〜９０６Ｌ）は、ある時間にわたって、システム全体の様々な位置に分散されうる。各アクセス端末９０６は、例えば、アクセス端末９０６がアクティブであるか否か、および、それがソフトハンドオフであるか否かに依存して、所与の時間に順方向リンク（ＦＬ）および／または逆方向リンク（ＲＬ）上で１または複数のアクセスポイン９０４と通信しうる。無線通信システム９００は、大きな地理的範囲にわたってサービスを提供しうる。例えば、マクロセル９０２Ａ〜９０２Ｇは、地方の環境において、隣接する少数のブロックあるいは数マイルにある少数のブロックをカバーしうる。
【００７１】
図１０は、１または複数のフェムトアクセスポイントが、ネットワーク環境内で展開される例示的な通信システム１０００を示す。特に、システム１０００は、比較的小さいスケールのネットワーク環境に（例えば、１または複数のユーザレジデンス１０３０に）設置された複数のフェムトアクセスポイント１０１０（例えば、フェムトアクセスポイント１０１０Ａおよび１０１０Ｂ）を含む。各フェムトアクセスポイント１０１０は、ＤＳＬルータ、ケーブルモデム、無線リンク、または別の接続性手段（図示されない）を介して、広域ネットワーク１０４０（例えば、インターネット）およびモバイルオペレータコアネットワーク１０５０に結合されうる。下に論述されるように、各フェムトアクセスポイント１０１０は、関連アクセス１０２０（例えば、アクセス端末１０２０Ａ）、および、随意的に、別の（例えば、ハイブリッドの、または、異種の）アクセス端末１０２０（例えば、アクセス端末１０２０Ｂ）にサービス提供するように構成されうる。換言すると、フェムトアクセスポイント１０１０へのアクセスは制限され、それによって、所与のアクセス端末１０２０は、指定の（例えば、ホーム）フェムトアクセスポイント１０１０のセットからサービスを受けることができるが、任意の未指定のフェムトアクセスポイント１０１０（例えば、隣接したフェムトアクセスポイント１０１０）からサービスを受けることができない。
【００７２】
図１１は、各々が、いくつかのマクロカバレッジエリア１１０４を含み、いくつかのトラッキングエリア１１０２（または、ルーティングエリアあるいは位置エリア）が定義されるカバレッジマップ１１００の例を示す。ここで、トラッキングエリア１１０２Ａ、１１０２Ｂ、および１１０２Ｃと関連付けられたカバレッジのエリアが、太い線で描写され、マクロカバレッジエリア１１０４は、より大きな六角形で表される。トラッキングエリア１１０２は、さらに、フェムトカバレッジエリア１１０６を含む。この例において、フェムトカバレッジエリア１１０６（例えば、フェムトカバレッジエリア１１０６ Ｂおよび１１０６ Ｃ）の各々は、１または複数のマクロカバレッジエリア１１０４（例えば、マクロカバレッジエリア１１０４Ａおよび１１０４Ｂ）内に描写される。しかしながら、フェムトカバレッジエリア１１０６のいくつかあるいは全ては、マクロカバレッジエリア１１０４内に存在しない可能性があることは認識されるべきである。実際、多数のフェムトカバレッジエリア１１０６（例えば、カバレッジエリア１１０６ Ａおよび１１０６Ｄ）が、所与のトラッキングエリア１１０２またはマクロカバレッジエリア１１０４内に定義されうる。さらに、１または複数のピコカバレッジエリア（図示されない）は、所与のトラッキングエリア１１０２またはマクロカバレッジエリア１１０４内に定義されうる。
【００７３】
再度図１０を参照すると、フェムトアクセスポイント１０１０のオーナーは、例えば、３Ｇモバイルサービスのような、モバイルオペレータコアネットワーク１０５０を通して提供されるモバイルサービスに加入することができる。加えて、アクセス端末１０２０は、マクロ環境およびより小さいスケールの（例えば、レジデンスの）ネットワーク環境の両方で動作することができる。換言すると、アクセス端末１０２０の現在の位置に依存して、アクセス端末１０２０は、モバイルオペレータコアネットワーク１０５０と関連付けられたマクロセルアクセスポイント１０６０から、あるいは、フェムトアクセスポイント１０１０（対応するユーザレジデンス１０３０内に存在するフェムトアクセスポイント１０１０ Ａおよび１０１０ Ｂ）のセットのうちのいずれか１つからサービスを受けうる。例えば、加入者が、加入者の家の外にいる場合、加入者は、標準のマクロアクセスポイント（例えば、アクセスポイント１０６０）からサービスを受け、加入者が家にいる場合、加入者は、フェムトアクセスポイント（例えば、アクセスポイント１０１０ Ａ）からサービスを受ける。ここで、フェムトアクセスポイント１０１０は、レガシアクセス端末１０２０と上位互換性がありうる。
【００７４】
フェムトアクセスポイント１０１０は、単一の周波数上で、あるいは、代替例では複数の周波数上で展開されうる。特定の構成に依存して、単一の周波数、あるいは、複数の周波数のうちの１または複数は、マクロアクセスポイント（例えば、アクセスポイント１０６０）によって使用される１または複数の周波数とオーバーラップしうる。
【００７５】
いくつかの態様において、アクセス端末１０２０は、そのような接続性が可能な時はいつでも、選好されるフェムトアクセスポイント（例えば、アクセス端末１０２０のホームフェムトアクセスポイント）に接続するように構成されうる。例えば、アクセス端末１０２０ Ａが、ユーザのレジデンス１０３０内にある場合はいつでも、アクセス端末１０２０ Ａが、ホームフェムトアクセスポイント１０１０ Ａまたは１０１０ Ｂとのみ通信することが望まれうる。
【００７６】
いくつかの態様において、アクセス端末１０２０が、マクロセルラネットワーク１０５０内で動作するが、その最も選好されるネットワーク（例えば、選好ローミングリストで画定されたような）上には存在しない場合、アクセス端末１０２０は、より良いシステムが現在利用可能であるか否かを決定するために、利用可能なシステムを周期的にスキャンすることと、その後、そのような選好システムを獲得することを含む、より良いシステム再選択（ＢＳＲ）手順を使用する最も選好されるネットワーク（例えば、選好フェムトアクセスポイント１０１０）の探索を続ける。アクセス端末１０２０は、その探索を、特定の帯域およびチャネルに限定しうる。例えば、１または複数のフェムトチャネルは定義され、それによって、範囲内の全てのフェムトアクセスポイント（または、全ての制限フェムトアクセスポイント）は、フェムトチャネル上で動作する。最も選好されるシステムの探索は、周期的に繰り返されうる。選好されるフェムトアクセスポイント１０１０の発見を受けて、アクセス端末１０２０は、フェムトアクセスポイント１０１０を選択し、そのカバレッジエリア内にいるときに使用するためにその上に登録する。
【００７７】
フェムトアクセスポイントへのアクセスは、いくつかの態様において制限されうる。例えば、所与のフェムトアクセスポイントは、特定のサービスを、特定のアクセス端末に提供するだけでありうる。いわゆる制限（または、クローズド）アクセスでの展開において、所与のアクセス端末は、マクロセルモバイルネットワーク、および、既定のフェムトセルアクセスポイント（例えば、対応するユーザレジデンス１０３０内に存在するフェムトアクセスポイント１０１０）のセットからサービスを受けるだけである。いくつかのインプリメンテーションにおいて、アクセスポイントは、シグナリング、データアクセス、登録、ページング、またはサービスのうちの少なくとも１つを、少なくとも１つのノード（例えば、アクセス端末）に提供しないように制限されうる。
【００７８】
いくつかの態様において、制限されたフェムトアクセスポイント（クローズド加入者グループホームノードＢとも呼ばれる）は、制限された供給アクセス端末のセットにサービスを提供するフェムトアクセスポイントである。このセットは、必要に応じて、一時的または永久的に拡張されうる。いくつかの態様において、クローズド加入者グループ（ＣＳＧ）は、アクセス端末の共通アクセス制御リストを共有するアクセスポイント（例えば、フェムトアクセスポイント）のセットとして定義されうる。
【００７９】
かくして、様々な関連が、所与のフェムトアクセスポイントと、所与のアクセス端末との間に存在しうる。例えば、アクセス端末の観点から、オープンフェムトアクセスポイントは、制限されたアクセスを有するフェムトアクセスポイントを指しうる（例えば、フェムトアクセスポイントは、任意のアクセス端末へのアクセスを可能にする）。制限されたフェムトアクセスポイントは、ある方法で制限された（例えば、アクセスおよび／または登録に対して制限された）フェムトアクセスポイントを指しうる。ホームフェムトアクセスポイントは、アクセス端末が、アクセスおよび動作する権限を有するフェムトアクセスポイントを指しうる（例えば、パーマネントアクセスが、１または複数のアクセス端末の既定のセットに提供される）。ハイブリッド（または、ゲスト）フェムトアクセスポイントは、異なるアクセス端末が、異なるレベルのサービスで提供される（例えば、いくつかのアクセス端末は、部分的および／または一時的なアクセスが許可され、別のアクセス端末はフルアクセスが許可されうる）フェムトアクセスポイントを指しうる。異種のフェムトアクセスポイントは、おそらく、緊急である状況（例えば、９１１呼）を除いて、アクセス端末がアクセスまたは動作する権限を有さないフェムトアクセスポイントを指しうる。
【００８０】
制限されたフェムトアクセスポイントの見解から、ホームアクセス端末は、そのアクセス端末のオーナーのレジデンスに配置され、制限されたフェムトアクセスポイントにアクセスする権限を有する（通常、ホームアクセス端末は、そのフェムトアクセスポイントへのパーマネントアクセスを有する）アクセス端末を指しうる。ゲストアクセス端末は、制限された（例えば、デッドライン、使用時間、バイト、接続カウント、または別の基準に基づいて制限された）フェムトアクセスポイントへの一時的なアクセスを有するアクセス端末を指しうる。異種のアクセス端末は、例えば、おそらく、９１１呼のような緊急な状況を除いて、制限されたフェムトアクセスポイントにアクセスする許可を有さないアクセス端末（例えば、その制限されたフェムトアクセスポイントに登録する資格または許可を有さないアクセス端末）を指しうる。
【００８１】
便宜上、本明細書における開示は、フェムトアクセスポイントに照らして様々な機能性を記す。しかしながら、ピコアクセスポイントが、同一あるいは類似した機能性を、より大きいカバレッジエリアに対して提供しうることは認識されるべきである。例えば、ピコアクセスポイントは制限され、ホームピコアクセスポイントは、所与のアクセス端末に対して定義されうる。
【００８２】
本明細書における教示は、複数の無線アクセス端末のために通信を同時にサポートする無線多元接続通信システムにおいて用いられうる。ここで、各端末は、順方向リンクおよび逆方向リンク上の送信を介して１または複数のアクセスポイントと通信しうる。順方向リンク（すなわち、ダウンリンク）は、アクセスポイントから端末への通信リンクを指し、逆方向リンク（すなわち、アップリンク）は、端末からアクセスポイントへの通信リンクを指す。この通信リンクは、単一入力単一出力システム、多重入力多重出力（ＭＩＭＯ）システム、または、ある別のタイプのシステムを介して確立されうる。
【００８３】
ＭＩＭＯシステムは、データ送信のために、複数（ＮＴ個）の送信アンテナと、複数（ＮＲ個）の受信アンテナを用いる。ＮＴ個の送信アンテナおよびＮＲ個の受信アンテナで形成されるＭＩＭＯチャネルは、空間チャネルとも呼ばれるＮＳ個の個別チャネルに分解されうる。ここで、ＮＳ≦ｍｉｎ｛ＮＴ、ＮＲ｝である。ＮＳ個の個別チャネルの各々は、次元（dimension）に相当する。ＭＩＭＯシステムは、複数の送信アンテナおよび受信アンテナによって形成されるさらなる次元性が利用されると、改善されたパフォーマンス（例えば、より高いスループットおよび／またはより高い信頼性）を提供しうる。
【００８４】
ＭＩＭＯシステムは、時分割二重（ＴＤＤ）および周波数分割二重（ＦＤＤ）をサポートしうる。ＴＤＤシステムにおいて、順方向リンクおよび逆方向リンクの伝送は、相反原理によって、逆方向リンクチャネルからの順方向リンクチャネルの推定が可能になるために、同一の周波数領域上で行われる。これは、複数のアンテナが、アクセスポイントで利用可能な場合に、アクセスポイントが、順方向リンク上の送信ビームフォーミング利得を抽出することを可能にする。
【００８５】
図１２は、例示的なＭＩＭＯシステム１２００の無線デバイス１２１０（例えば、アクセスポイント）および無線デバイス１２５０（例えば、アクセス端末）を示す。デバイス１２１０において、多数のデータストリームのためのトラフィックデータが、データソース１２１２から送信（ＴＸ）データプロセッサ１２１４に提供される。次に、各データストリームは、それぞれの送信アンテナを通して送信されうる。
【００８６】
ＴＸデータプロセサ１２１４は、データストリームのために選択される特定の符号化スキームに基づいて、そのデータストリームの各々に対してトラフィックデータを形式化、符号化、およびインターリーブし、符号化データを提供する。各データストリームに対するその符号化データは、ＯＦＤＭ技術を使用してパイロットデータと多重化されうる。パイロットデータは、典型的に、既知の方法で処理される既知のデータパターンであり、チャネル応答を推定するために、受信機システムで使用されうる。次に、各データストリームに対する多重化パイロットおよび符号化データは、そのデータストリームに対して選択された特定の変調スキーム（例えば、ＢＰＳＫ、ＱＳＰＫ、Ｍ−ＰＳＫ、またはＭ−ＱＡＭ）に基づいて変調され（すなわち、シンボルマッピングされ）、変調シンボルを提供する。各データストリームに対するデータレート、符号化、変調は、プロセッサ１２３０によって実行される命令群によって決定されうる。データメモリ１２３２は、プロセッサ１２３０またはデバイス１２１０の別のコンポーネントによって使用されうるプログラムコード、データ、別の情報を記憶しうる。
【００８７】
次に、全てのデータストリームに対する変調シンボルが、その変調シンボルをさらに処理しうる（例えば、ＯＦＤＭの場合に）ＴＸ ＭＩＭＯプロセッサ１２２０に提供される。次に、ＴＸ ＭＩＭＯプロセッサ１２２０は、ＮＴ個の変調シンボルストリームを、ＮＴ個のトランシーバ（ＸＣＶＲ）１２２２Ａ〜１２２２Ｔに提供する。いくつかの態様において、ＴＸ ＭＩＭＯプロセッサ１２２０は、ビームフォーミング重みを、データストリームのシンボルと、シンボルが送信されているアンテナとに適用する。
【００８８】
各トランシーバ１２２２は、１および複数のアナログ信号を提供するために、それぞれのシンボルストリームを受信および処理し、そのアナログ信号をさらに調整（例えば、増幅、フィルタリング、および、アップコンバート）して、ＭＩＭＯチャネルを通しての送信に適した変調信号を提供する。次に、トランシーバ１２２２Ａ〜１２２２ＴからのＮＴ個の変調信号は、それぞれ、ＮＴ個のアンテナ１２２４Ａ〜１２２４Ｔから送信されうる。
【００８９】
デバイス１２５０において、送信される変調信号は、ＮＲ個のアンテナ１２５２Ａ〜１２５２Ｒによって受信され、各アンテナ１２５２からの受信信号は、それぞれのトランシーバ（ＸＣＶＲ）１２５４Ａ〜１２５４Ｒに提供される。各トランシーバ１２５４は、それぞれの受信信号を調整（例えば、フィルタリング、増幅、およびダウンコンバート）し、その調整信号をデジタル化してサンプルを提供し、そのサンプルをさらに処理して対応する「受信」シンボルストリームを提供する。
【００９０】
次に、受信（ＲＸ）データプロセッサ１２６０は、特定の受信機処理技術に基づいて、ＮＲ個の受信シンボルストリームをＮＲ個のトランシーバ１２５４から受信および処理して、ＮＴ個の「検出」シンボルストリームを提供する。次に、ＲＸデータプロセッサ１２６０は、各検出シンボルストリームを復調、デインタリーブ、復号し、データストリームに対するトラフィックデータを回復する。ＲＸデータプロセッサ１２６０による処理は、デバイス１２１０のＴＸ ＭＩＭＯプロセッサ１２２０およびＴＸデータプロセッサ１２１４によって行われる処理と相補的である。
【００９１】
プロセッサ１２７０は、どのプリコーディング行列を使用するかを周期的に決定する（下記で論述される）。プロセッサ１２７０は、行列インデックス部およびランク値部を備える逆方向リンクメッセージを公式化する。データメモリ１２７２は、プロセッサ１２７０またはデバイス１２５０の別のコンポーネントによって使用されるプログラムコード、データ、および別情報を記憶しうる。
【００９２】
逆方向リンクメッセージは、通信リンクおよび／または受信データストリームに関する様々なタイプの情報を備えうる。次に、逆方向リンクメッセージは、さらに多数のデータストリームに対するトラフィックデータをデータソース１２３６から受信しうるＴＸデータプロセッサ１２３８によって処理され、変調器１２８０によって変調され、トランシーバ１２５４Ａ〜１２５４Ｒによって調整され、デバイス１２１０に送り返される。
【００９３】
デバイス１２１０において、デバイス１２５０からの変調信号は、アンテナ１２２４によって受信され、トランシーバ１２２２によって調整され、復調器（ＤＥＭＯＤ）１２４０によって復調され、ＲＸデータプロセッサ１２４２によって処理され、デバイス１２５０によって送信された逆方向リンクメッセージを抽出しうる。次に、プロセッサ１２３０は、ビームフォーミング重み付けを決定するために、どのプリコーディング行列が使用されるかを決定し、抽出されたメッセージを処理する。
【００９４】
図１２は、さらに、通信コンポーネントが、本明細書で教示されたページング制御動作を実行する１または複数のコンポーネントを含みうることを示す。例えば、ページング制御コンポーネント１２９０は、本明細書に教示されるように、プロセッサ１２３０および／またはデバイス１２１０の別のコンポーネントと協調して、別のデバイス（例えば、デバイス１２６０）のページングを容易にしうる。各デバイス１２１０および１２５０について、記述されたコンポーネントのうちの２またはそれより多くの機能性が、単一のコンポーネントによって提供されうることは認識されるべきである。例えば、単一の処理コンポーネントは、ページング制御コンポーネント１２９０およびプロセッサ１２３０の機能性を提供しうる。
【００９５】
本明細書の教示は、様々なタイプの通信システムおよび／またはシステムコンポーネントに組み込まれうる。いくつかの態様において、本明細書における教示は、利用可能なシステムリソースを共有することによって（例えば、帯域幅、送信電力、符号化、インターリービングなどのうちの１または複数を指定することによって）、複数のユーザとの通信をサポートすることができる多元接続システムで用いられうる。例えば、本明細書の教示は、下記テクノロジーのうちの任意の１つまたは組み合わせに適用されうる：符号分割多元接続（ＣＤＭＡ）システム、マルチキャリアＣＤＭＡ（ＭＣＣＤＭＡ）、広域ＣＤＭＡ（Ｗ−ＣＤＭＡ)、高速パケット接続（ＨＳＰＡ、ＨＳＰＡ＋）システム、時分割多元接続（ＴＤＭＡ）システム、周波数分割多元接続（ＦＤＭＡ）システム、単一キャリアＦＤＭＡ（ＳＣ−ＦＤＭＡ）システム、直交周波数分割多元接続（ＯＦＤＭＡ）システム、あるいは、別の多元接続技術。本明細書の教示を用いる無線通信システムは、ＩＳ−９５、ｃｄｍａ２０００、ＩＳ−８５６、Ｗ−ＣＤＭＡ、ＴＤＳＣＤＭＡ、および別の標準のような１または複数の標準を実施するように設計されうる。ＣＤＭＡネットワークは、ＵＴＲＡ（Universal Terrestrial Radio Access）、ｃｄｍａ２０００、あるいは、いくつかの別のテクノロジーのような無線テクノロジーを実施しうる。ＵＴＲＡは、Ｗ−ＣＤＭＡおよび低チップレート（ＬＣＲ）含む。ｃｄｍａ２０００テクノロジーは、ＩＳ−２０００、ＩＳ−９５、ＩＳ−８５６標準をカバーする。ＴＤＭＡネットワークは、ＧＳＭ（登録商標）のような無線テクノロジーを実施しうる。ＯＦＤＭＡネットワークは、次世代ＵＴＲＡ（Ｅ−ＵＴＲＡ）、ＩＥＥＥ ８０２．１１、ＩＥＥＥ ８０２．１６、ＩＥＥＥ ８０２．２０、フラッシュＯＦＤＭ（登録商標）（Ｆｌａｓｈ−ＯＦＤＭ）のような無線テクノロジーを実施しうる。ＵＴＲＡ、Ｅ−ＵＴＲＡ、およびＧＳＭは、ＵＭＴＳ（Universal Mobile Telecommunication System）の一部である。本明細書の教示は、３ＧＰＰのＬＴＥ（Long Term Evolution）システム、ＵＭＢ（Ultra-Mobile Broadband）システム、および別のタイプのシステムで実施されうる
。ＬＴＥは、Ｅ−ＵＴＲＡを用いるＵＭＴＳのリリースである。ＵＴＲＡ、Ｅ−ＵＴＲＡ、ＧＳＭ、ＵＭＴＳ、ＬＴＥは、「第３世代パートナーシッププロジェクト（３ＧＰＰ）」という名称の団体からの文書に記述されおり、ｃｄｍａ２０００は、「第３世代パートナーシッププロジェクト２（３ＧＰＰ２）」という名称の団体からの文書に記述されている。本開示のある態様は、３ＧＰＰ用語を使用して記述されるが、本明細書の技術が、３ＧＰＰ（例えば、Ｒｅ１９９、Ｒｅ１５、Ｒｅ１６、Ｒｅ１７）テクノロジー、並びに、３ＧＰＰ２（例えば、１ｘＲＴＴ、１ｘＥＶ−ＤＯ ＲｅｌＯ、ＲｅｖＡ、ＲｅｖＢ）テクノロジー、および別のテクノロジーに適用されうることは理解されるべきである。
【００９６】
本明細書の教示は、様々な装置（例えば、ノード）に組み込まれうる（例えば、様々な装置内に実装されるか、あるいは、それらによって実行される）。いくつかの態様において、本明細書の教示に従って実施されるノード（例えば、無線ノード）は、アクセスポイントまたはアクセス端末を備えうる。
【００９７】
例えば、アクセス端末は、ユーザ機器、加入者局、加入者ユニット、モバイル局、モバイル、モバイルノード、リモート局、リモート端末、ユーザ端末、ユーザエージェント、ユーザデバイス、あるいはいくつかの別の用語を備えるか、それとして実施されるか、あるいは、それとして知られうる。いくつかのインプリメンテーションにおいて、アクセス端末は、セルラ電話、コードレス電話、セッション開始プロトコル（ＳＩＰ）電話、無線ローカルループ（ＷＬＬ）局、携帯情報端末（ＰＤＡ）、無線接続能力を有するハンドヘルドデバイス、または、無線モデムに接続したいくつかの別の適応処理デバイスを備えうる。結果として、本明細書において教示される１または複数の態様は、電話（例えば、セルラ電話またはスマートフォン）、コンピュータ（例えば、ラップトップ）、ポートブル通信デバイス、ポータブル計算デバイス（例えば、携帯情報端末）、エンターテイメントデバイス（例えば、ミュージックデバイス、ビデオデバイス、または、衛星ラジオ）、全地球測位システムデバイス、または、無線モデムを介して通信するように構成された任意の別の適したデバイスに組み込まれうる
アクセスポイントは、ノードＢ、発展型ノードＢ、無線ネットワークコントローラ（ＲＮＣ）、基地局（ＢＳ）、無線基地局（ＲＢＳ）、基地局コントローラ（ＢＳＣ）、トランシーバ基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、あるいは、いくつかの別の類似した用語を備えるか、それとして実装されるか、あるいは、それとして知られうる。
【００９８】
いくつかの態様において、ノード（例えば、アクセスポイント）は、通信システムのためのアクセスノードを備えうる。例えば、そのようなアクセスノードは、ネットワークへの有線または無線通信リンクを介して、ネットワーク（例えば、インターネットまたはセルラネットワークのような広域ネットワーク）への接続性を提供する。従って、アクセスノードは、別のノード（例えば、アクセス端末）が、ネットワークまたはいくつかの別の機能性にアクセスすることを可能にしうる。加えて、ノードの片方または両方がポータブルであり、あるいは、いくつかの場合においては、比較的ポータブルではないことは認識されるべきである。
【００９９】
さらに、無線ノードが、無線ではない方法で（例えば、有線接続を介して）情報を送信および／または受信する能力を有することは認識されるべきである。このように、本明細書に論述される受信機および送信機は、無線ではない媒体を介して通信するために、適切な通信インターフェースコンポーネント（例えば、電子または光インターフェースコンポーネント）を含みうる。
【０１００】
無線ノードは、任意の適切な無線通信テクノロジーに基づくか、あるいは、それらをサポートする１または複数の無線通信リンクを介して通信しうる。例えば、いくつかの態様において、無線ノードは、ネットワークと関連付けられうる。いくつかの態様において、ネットワークは、ローカルエリアネットワークまたは広域ネットワークを備えうる。無線デバイスは、本明細書で論述されたもの（例えば、ＣＤＭＡ、ＦＤＭＡ、ＯＦＤＭ、ＯＦＤＭＡ、ＷｉＭＡＸ、Ｗｉ−Ｆｉなど）のような様々な無線通信テクノロジー、プロトコル、または標準のうちの１または複数をサポートするか、あるいは、使用しうる。同様に、無線ノードは、様々な対応する変調または多重化スキームのうちの１または複数をサポートするか、あるいは使用しうる。このように、無線ノードは、上記テクノロジーまたは別の無線通信テクノロジーを使用する１または複数の無線通信リンクを確立し、それらを介して通信するために適切なコンポーネント（例えば、エアインターフェース）を含みうる。例えば、無線ノードは、無線媒体を通した通信を容易にする様々なコンポーネント（例えば、信号生成器および信号プロセッサ）を含みうる関連送信機および受信機コンポーネントを有する無線トランシーバを備えうる。
【０１０１】
本明細書に記述される機能性（例えば、添付図の１または複数に関して）は、添付の請求項において同様に指し示された「〜するための手段」という機能性に、いくつかの態様において、対応しうる。図１３〜１５を参照すると、装置１３００、１４００、１５００は、一連の相関機能モジュールとして表されている。ここにおいて、メッセージ受信モジュール１３０２は、少なくとも、いくつかの対応において、例えば、本明細書に記述される受信機に対応しうる。識別子決定モジュール１３０４は、少なくとも、いくつかの対応において、例えば、本明細書に記述されるページングコントローラに対応しうる。メッセージ転送モジュール１３０６は、少なくとも、いくつかの対応において、例えば、本明細書に記述される送信機に対応しうる。パケット受信モジュール１３０８は、少なくとも、いくつかの対応において、例えば、本明細書に記述される受信機に対応しうる。ページメッセージ送信モジュール１３１０は、少なくとも、いくつかの対応において、例えば、本明細書に記述されるページングコントローラに対応しうる。ページングタイミング情報決定モジュール１３１２は、少なくとも、いくつかの対応において、例えば、本明細書に記述されるページングコントローラに対応しうる。ページングインジケータ設定モジュール１３１４は、少なくとも、いくつかの対応において、例えば、本明細書に記述されるページングコントローラに対応しうる。パケット受信モジュール１４０２は、少なくとも、いくつかの対応において、例えば、本明細書に記述される受信機に対応しうる。パケット送信モジュール１４０４は、少なくとも、いくつかの対応において、例えば、本明細書に記述される送信機に対応しうる。パケット受信モジュール１４０６は、少なくとも、いくつかの対応において、例えば、本明細書に記述される受信機に対応しうる。パケットメッセージ送信モジュール１４０８は、少なくとも、いくつかの対応において、例えば、本明細書に記述されるページングコントローラに対応しうる。パケット受信モジュール１５０２は、少なくとも、いくつかの対応において、例えば、本明細書に記述される受信機に対応しうる。パケット送信モジュール１５０４は、少なくとも、いくつかの対応において、例えば、本明細書に記述されるページングコントローラに対応しうる。
【０１０２】
図１３〜１５のモジュールの機能性は、本明細書の教示と一致する様々な方法で実装されうる。いくつかの態様において、これらのモジュールの機能性は、１または複数の電子コンポーネントとして実装されうる。いくつかの態様において、これらのブロックの機能性は、１または複数のプロセッサコンポーネントを含む処理システムとして実装されうる。いくつかの態様において、これらのモジュールの機能性は、例えば、１または複数の集積回路（例えば、ＡＳＩＣ）の少なくとも一部を使用して実装されうる。本明細書で論述されるように、集積回路は、プロセッサ、ソフトウェア、別の関連コンポーネント、あるいは、それらのいくつかの組み合わせを含みうる。これらのモジュールの機能性は、さらに、本明細書で教示されるいくつかの別の方法で実装されうる。いくつかの態様において、図１３〜１５の任意の破線ブロックのうちの１または複数のものはオプションである。
【０１０３】
「第１の」、「第２の」などの指定（designation）を使用した、本明細書のエレメントへの任意の参照が、一般に、これらのエレメントの量または順序を限定しないことは理解されるべきである。むしろ、これらの指定は、本明細書において、２またはそれより多くのエレメント、または、エレメントの２またはそれより多くのインスタンスを区別する便利な方法として使用されうる。このように、第１および第２のエレメントへの参照は、２つのエレメントのみがそこで用いられること、あるいは、第１のエレメントは、ある方法で、第２のエレメントよりも先に起らなければならないことを意味しない。さらに、別段、言及されない限り、エレメントのセットは、１または複数のエレメントを備えうる。加えて、詳細な説明または特許請求の範囲で使用される「Ａ、Ｂ、またはＣのうちの少なくとも１つ」という表現の用語は、「Ａ、またはＢ、またはＣ、または、これらのエレメントの任意の組み合わせ」を意味する。
【０１０４】
当業者は、情報と信号が、任意の多様で異なるテクノロジーと技術を用いて表されることを理解するであろう。例えば、上記全体を通して参照されるデータ、指示、命令、情報、信号、ビット、シンボル、およびチップは、電圧、電流、電磁波、磁場または粒子、光電場または光粒子、またはこれらのあらゆる組み合わせによって表されうる。
【０１０５】
当業者はさらに、本明細書に開示された態様と関連して記述されている様々な実例となる論理ブロック、モジュール、プロセッサ、手段、回路、アルゴリズムステップのいずれかが、電子ハードウェア（例えば、ソース符号化またはいくつかの別の技術を使用して設計されるデジタル実装、アナログ実装、または２つの組み合わせ）、命令群を組み込む様々な形態のプログラムまたは設計コード（本明細書において、便宜上、「ソフトウェア」または「ソフトウェアモジュール」と呼ばれる）、または、両方の組み合わせとして実装されうることを認識するであろう。このハードウェアとソフトウェアの互換性を明確に示すために、様々な実例となるコンポーネント、ブロック、モジュール、回路、ステップが、それらの機能性という観点から一般的に上に記述されている。そのような機能性が、ハードウェアとして実装されるか、ソフトウェアとして実装されるかは、特定のアプリケーションとシステム全体に課された設計制約とに依存する。当業者は、各特定アプリケーションについて様々な方法で上記機能性を実装することができるが、そのような実装の決定は、本開示の範囲からの逸脱の原因になるとして解釈されるべきではない。
【０１０６】
本明細書に開示された態様と関連して記述される様々な実例となる論理ブロック、モジュール、回路は、集積回路（ＩＣ）、アクセス端末、またはアクセスポイント内で実装され、または、それによって実行される。ＩＣは、汎用のプロセッサ、デジタル信号プロセッサ（ＤＳＰ）、特定用途向け集積回路（ＡＳＩＣ）、書替え可能ゲートアレイ（ＦＰＧＡ）または他のプログラマブル論理デバイス、ディスクリートゲートまたはトランジスタ論理、ディスクリートハードウェアコンポーネント、電子コンポーネント、光コンポーネント、機械コンポーネント、もしくは本明細書に記述された機能を実行するよう設計されたこれらの任意の組み合わせを備え、ＩＣ内、ＩＣの外、あるいは、両方に存在するコードまたは命令を実行する。汎用プロセッサはマイクロプロセッサであるが、代替で、プロセッサは任意の従来のプロセッサ、コントローラ、マイクロコントローラ、またはステートマシンでありうる。プロセッサは、また、例えば、ＤＳＰとマクロプロセッサ、複数のマイクロプロセッサ、ＤＳＰコアに結合した１または複数のマイクロプロセッサ、または、その他の上記構成の組み合わせといった計算デバイスの組み合わせとしても実装される。
【０１０７】
開示されたプロセスにおけるステップの任意の順序または段階が実例となるアプローチの例であることは理解される。設計選好に基づいて、プロセスにおけるステップの特定の順序または段階が、本開示の範囲内でありながらも再配列されることは理解されるべきである。添付の方法請求項は、多様なステップのエレメントを例示的な順序で提示し、提示された特定の順序または段階に限定されることを意味しない。
【０１０８】
１または複数の例示的な実施形態において、記述された機能は、ハードウェア、ソフトウェア、ファームウェア、またはそれらの組み合わせに実装される。ソフトウェアに実装された場合、その機能はコンピュータ可読媒体上の１または複数の命令またはコードとして記憶または送信される。コンピュータ可読媒体は、コンピュータ記憶媒体と、ある箇所から別の箇所へのコンピュータプログラムの転送を容易にする任意の媒体を含む通信媒体との両方を含む。記憶媒体はコンピュータによりアクセスされることができる任意の利用可能な媒体である。それに制限されない例として、そのようなコンピュータ可読能媒体はＲＡＭ、ＲＯＭ、ＥＥＰＲＯＭ、ＣＤ−ＲＯＭまたは他の光学ディスク記憶装置、磁気ディスク記憶装置または他の磁気記憶デバイス、もしくはコンピュータによってアクセスされることができ、命令やデータ構造形で所望のプログラムコードを搬送したり記憶したりするために使用されうる任意の他の媒体を備えうる。また、任意の接続は適切にコンピュータ可読媒体と呼ばれる。例えば、同軸ケーブル、光ファイバーケーブル、撚線対、デジタル加入者回線（ＤＳＬ）、または赤外線、無線、マイクロ波などの無線テクノロジーを使用してウェブサイト、サーバ、または他のリモートソースからソフトウェアが送信されると、同軸ケーブル、光ファイバーケーブル、撚線対、ＤＳＬ、または赤外線、無線、マイクロ無線などの無線テクノロジーは媒体の定義に含まれる。ディスク（ｄｉｓｋ）とディスク（ｄｉｓｃ）は、本明細書で使用されているように、コンパクトディスク（ＣＤ）、レーザディスク、光ディスク、デジタルビデオディスク（ＤＶＤ）、フロッピー（登録商標）ディスク、ブルーレイ（登録商標）ディスクを含む。ディスク（ｄｉｓｋ）は通常磁気作用によってデータを再生し、ディスク（ｄｉｓｃ）はレーザーで光学的にデータを再生する。上記の組み合わせもコンピュータ可読媒体の範囲内に含まれるべきである。コンピュータ可読媒体が任意の適切なコンピュータプログラム製品で実装されることは認識されるべきである。
【０１０９】
開示された態様の以上の記述は、当業者が本開示を実装および使用することを可能にするために提供される。これらの実施形態に対する様々な変更は当業者には容易に明らかであり、本明細書において画定された包括的な原理は、本開示の精神または範囲を逸脱することなく他の実施形態に適用可能である。従って、本開示は本明細書に記載の態様に制限されるものではなく、本明細書で開示される原理および新規な特徴と合致する最も広い範囲が与えられるべきである。
【図１】
2014195314.tif 000003
【図２】
2014195314.tif 000004
【図３】
2014195314.tif 000005
【図４】
2014195314.tif 000006
【図５】
2014195314.tif 000007
【図６】
2014195314.tif 000008
【図７】
2014195314.tif 000009
【図８】
2014195314.tif 000010
【図９】
2014195314.tif 000011
【図１０】
2014195314.tif 000012
【図１１】
2014195314.tif 000013
【図１２】
2014195314.tif 000014
【図１３】
2014195314.tif 000015
【図１４】
2014195314.tif 000016
【図１５】
2014195314.tif 000017
【手続補正書】
【提出日】平成26年6月16日(2014.6.16)
【手続補正１】
【補正対象書類名】特許請求の範囲
【補正対象項目名】全文
【補正方法】変更
【補正の内容】
【特許請求の範囲】
【請求項１】
メッセージを受信することと、
アクセス端末の識別子を前記メッセージから決定することと、
前記メッセージを転送することと、
前記アクセス端末に向けられたパケットを受信することと、
前記受信メッセージから、あるいは、別の受信メッセージから、前記アクセス端末のためにページングタイミング情報を決定すること、
前記パケットの受信に基づいて、前記識別子を備える少なくとも１つのページングメッセージを前記アクセス端末に送信することと、ここにおいて、前記少なくとも１つのページングメッセージは、少なくとも部分的に前記ページングタイミング情報に基づいている、
を備える通信方法。
【請求項２】
前記パケットは、前記少なくとも１つのページングメッセージを送信するアクセスポイントと関連付けられたローカルエリアネットワークから受信される、請求項１に記載の方法。
【請求項３】
前記少なくとも１つのページングメッセージは、前記アクセスポイントのローカルサービングＧＰＲＳサポートノードによって送信される、請求項２に記載の方法。
【請求項４】
前記メッセージは、非アクセス層メッセージを備える、請求項１に記載の方法。
【請求項５】
前記非アクセス層メッセージは、アタッチメッセージ、位置エリア更新メッセージ、または、ルーティングエリア更新メッセージを備える、請求項４に記載の方法。
【請求項６】
前記ページングタイミング情報は、不連続受信周期情報を備える、請求項１に記載の方法。
【請求項７】
前記少なくとも１つのページングメッセージを送信することは、ページングチャネルの各ページング機会でページングメッセージを前記アクセス端末に送信することを備える、請求項１に記載の方法。
【請求項８】
前記パケットの受信に基づいて、ページングインジケータチャネルの全てのページングインジケータを設定することをさらに備える、請求項１に記載の方法。
【請求項９】
前記メッセージは、前記アクセス端末のために、モビリティマネジャから受信される、請求項１に記載の方法。
【請求項１０】
前記モビリティマネジャは、コアネットワークのサービングＧＰＲＳサポートノードを備える、請求項９に記載の方法。
【請求項１１】
前記メッセージは、前記アクセス端末から受信される、請求項１に記載の方法。
【請求項１２】
メッセージを受信するように構成され、さらに、アクセス端末に向けられたパケットを受信するように構成された受信機と、
前記アクセス端末の識別子を前記メッセージから決定するように、および、前記受信メッセージから、または、別の受信メッセージから、前記アクセス端末についてのページングタイミング情報を決定するように、構成されたページングコントローラと、
前記メッセージを転送するように構成された送信機とを備え、
前記ページングコントローラは、さらに、前記パケットの受信に基づいて少なくとも１つのページングメッセージを前記アクセス端末に送信するように構成され、
前記少なくとも１つのページングメッセージは、前記識別子を備え、少なくとも部分的に前記ページングタイミング情報に基づいている、
通信装置。
【請求項１３】
前記パケットは、前記少なくとも１つのページングメッセージを送信するアクセスポイントと関連付けられたローカルエリアネットワークから受信される、請求項１２に記載の
装置。
【請求項１４】
前記少なくとも１つのページングメッセージを送信することは、ページングチャネルの各ページング機会に前記アクセス端末にページングメッセージを送信することを備える、請求項１２に記載の装置。
【請求項１５】
前記ページングコントローラは、さらに、前記パケットの受信に基づいて、ページングインジケータチャネルの全てのページングインジケータを設定するように構成される、請求項１２に記載の装置。
【請求項１６】
メッセージを受信するための手段と、
アクセス端末の識別子を前記メッセージから決定するための手段と、
前記メッセージを転送するための手段と、
前記アクセス端末に向けられたパケットを受信するための手段と、
前記アクセス端末についてのページングタイミング情報を前記受信メッセージから、あるいは、別の受信メッセージから決定するための手段と、
前記パケットの受信に基づいて、前記識別子を備える少なくとも１つのページングメッセージを前記アクセス端末に送信するための手段と、ここにおいて、前記少なくとも１つのページングメッセージは、少なくとも部分的に前記ページングタイミング情報に基づいている、
を備える通信装置。
【請求項１７】
前記パケットは、前記少なくとも１つのページングメッセージを送信するアクセスポイントと関連付けられたローカルエリアネットワークから受信される、請求項１６に記載の装置。
【請求項１８】
前記少なくとも１つのページングメッセージを送信することは、ページングチャネルの各ページング機会でページングメッセージを前記アクセス端末に送信することを備える、請求項１６に記載の装置。
【請求項１９】
前記パケットの受信に基づいて、ページングインジケータチャネルの全てのページングインジケータを設定するための手段をさらに備える、請求項１６に記載の装置。
【請求項２０】
コンピュータ可読記憶媒体であって、
メッセージを受信する、
アクセス端末の識別子を前記メッセージから決定する、
前記メッセージを転送する、
前記アクセス端末に向けられたパケットを受信する、
前記アクセス端末のために、前記受信メッセージから、あるいは、別の受信メッセージからページングタイミング情報を決定する、そして
前記パケットの受信に基づいて、前記識別子を備える少なくとも１つのページングメッセージを前記アクセス端末に送信する、ここにおいて、前記少なくとも１つのページングメッセージは、少なくとも部分的に前記ページングタイミング情報に基づいている、
ことをコンピュータにさせるためのコードを備える、コンピュータ可読記憶媒体。
【請求項２１】
前記パケットは、前記少なくとも１つのページングメッセージを送信するアクセスポイントと関連付けられたローカルエリアネットワークから受信される、請求項２０に記載のコンピュータ可読記憶媒体。
【請求項２２】
前記少なくとも１つのページングメッセージを送信することは、ページングチャネルの各ページング機会でページングメッセージを前記アクセス端末に送信することを備える、請求項２０に記載のコンピュータ可読記憶媒体。
【請求項２３】
前記コンピュータ可読記憶媒体は、前記コンピュータに、前記パケットの受信に基づいてページングインジケータチャネルの全てのページングインジケータを設定させるコードをさらに備える、請求項２０に記載のコンピュータ可読記憶媒体。
【手続補正２】
【補正対象書類名】明細書
【補正対象項目名】０１０９
【補正方法】変更
【補正の内容】
【０１０９】
開示された態様の以上の記述は、当業者が本開示を実装および使用することを可能にするために提供される。これらの実施形態に対する様々な変更は当業者には容易に明らかであり、本明細書において画定された包括的な原理は、本開示の精神または範囲を逸脱することなく他の実施形態に適用可能である。従って、本開示は本明細書に記載の態様に制限されるものではなく、本明細書で開示される原理および新規な特徴と合致する最も広い範囲が与えられるべきである。
なお、本願の出願当初の請求項と同一の記載を以下に付記する。
［Ｃ１］ メッセージを受信することと、
アクセス端末の識別子を前記メッセージから決定することと、
前記メッセージを転送することと、
前記アクセス端末に向けられたパケットを受信することと、
前記パケットの受信に基づいて、前記識別子を備える少なくとも１つのページングメッセージを前記アクセス端末に送信することと
を備える通信方法。
［Ｃ２］ 前記パケットは、前記少なくとも１つのページングメッセージを送信するアクセスポイントと関連付けられたローカルエリアネットワークから受信される、Ｃ１に記載の方法。
［Ｃ３］ 前記少なくとも１つのページングメッセージは、前記アクセスポイントのローカルサービングＧＰＲＳサポートノードによって送信される、Ｃ２に記載の方法。
［Ｃ４］ 前記メッセージは、非アクセス層メッセージを備える、Ｃ１に記載の方法。
［Ｃ５］ 前記非アクセス層メッセージは、アタッチメッセージ、位置エリア更新メッセージ、または、ルーティングエリア更新メッセージを備える、Ｃ４に記載の方法。
［Ｃ６］ 前記受信メッセージから、あるいは、別の受信メッセージから、前記アクセス端末のためにページングタイミング情報を決定することをさらに備え、前記少なくとも１つのページングメッセージは、前記ページングタイミング情報に基づいて送信される、Ｃ１に記載の方法。
［Ｃ７］ 前記ページングタイミング情報は、不連続受信周期情報を備える、Ｃ６に記載の方法。
［Ｃ８］ 前記少なくとも１つのページングメッセージを送信することは、ページングチャネルの各ページング機会でページングメッセージを前記アクセス端末に送信することを備える、Ｃ１に記載の方法。
［Ｃ９］ 前記パケットの受信に基づいて、ページングインジケータチャネルの全てのページングインジケータを設定することをさらに備える、Ｃ１に記載の方法。
［Ｃ１０］ 前記メッセージは、前記アクセス端末のために、モビリティマネジャから受信される、Ｃ１に記載の方法。
［Ｃ１１］ 前記モビリティマネジャは、コアネットワークのサービングＧＰＲＳサポートノードを備える、Ｃ１０に記載の方法。
［Ｃ１２］ 前記メッセージは、前記アクセス端末から受信される、Ｃ１に記載の方法。
［Ｃ１３］ メッセージを受信するように構成され、さらに、アクセス端末に向けられたパケットを受信するように構成された受信機と、
前記アクセス端末の識別子を前記メッセージから決定するように構成されたページングコントローラと、
前記メッセージを転送するように構成された送信機とを備え、
前記ページングコントローラは、さらに、前記パケットの受信に基づいて少なくとも１つのページングメッセージを前記アクセス端末に送信するように構成され、
前記少なくとも１つのページングメッセージは前記識別子を備える、通信装置。
［Ｃ１４］ 前記パケットは、前記少なくとも１つのページングメッセージを送信するアクセスポイントと関連付けられたローカルエリアネットワークから受信される、Ｃ１３に記載の装置。
［Ｃ１５］ 前記ページングコントローラは、さらに、前記受信メッセージから、または、別の受信メッセージから、前記アクセス端末についてのページングタイミング情報を決定するように構成され、
前記少なくとも１つのページングメッセージは、前記ページングタイミング情報に基づいて送信される、
Ｃ１３に記載の装置。
［Ｃ１６］ 前記少なくとも１つのページングメッセージを送信することは、ページングチャネルの各ページング機会に前記アクセス端末にページングメッセージを送信することを備える、Ｃ１３に記載の装置。
［Ｃ１７］ 前記ページングコントローラは、さらに、前記パケットの受信に基づいて、ページングインジケータチャネルの全てのページングインジケータを設定するように構成される、Ｃ１３に記載の装置。
［Ｃ１８］ メッセージを受信するための手段と、
アクセス端末の識別子を前記メッセージから決定するための手段と、
前記メッセージを転送するための手段と、
前記アクセス端末に向けられたパケットを受信するための手段と、
前記パケットの受信に基づいて、前記識別子を備える少なくとも１つのページングメッセージを前記アクセス端末に送信するための手段と
を備える通信装置。
［Ｃ１９］ 前記パケットは、前記少なくとも１つのページングメッセージを送信するアクセスポイントと関連付けられたローカルエリアネットワークから受信される、Ｃ１８に記載の装置。
［Ｃ２０］ 前記アクセス端末についてのページングタイミング情報を前記受信メッセージから、あるいは、別の受信メッセージから決定するための手段をさらに備え、前記少なくとも１つのページングメッセージは、前記ページングタイミング情報に基づいて送信される、Ｃ１８に記載の装置。
［Ｃ２１］ 前記少なくとも１つのページングメッセージを送信することは、ページングチャネルの各ページング機会でページングメッセージを前記アクセス端末に送信することを備える、Ｃ１８に記載の装置。
［Ｃ２２］ 前記パケットの受信に基づいて、ページングインジケータチャネルの全てのページングインジケータを設定するための手段をさらに備える、Ｃ１８に記載の装置。
［Ｃ２３］ コンピュータ可読媒体を備えるコンピュータプログラム製品であって、前記コンピュータ可読媒体は
メッセージを受信する、
アクセス端末の識別子を前記メッセージから決定する、
前記メッセージを転送する、
前記アクセス端末に向けられたパケットを受信する、そして、
前記パケットの受信に基づいて、前記識別子を備える少なくとも１つのページングメッセージを前記アクセス端末に送信する
ことをコンピュータにさせるためのコードを備える、コンピュータプログラム製品。
［Ｃ２４］ 前記パケットは、前記少なくとも１つのページングメッセージを送信するアクセスポイントと関連付けられたローカルエリアネットワークから受信される、Ｃ２３に記載のコンピュータプログラム製品。
［Ｃ２５］ 前記コンピュータ可読媒体は、前記アクセス端末のために、前記受信メッセージから、あるいは、別の受信メッセージからページングタイミング情報を決定することを前記コンピュータにさせるためのコードをさらに備え、
前記少なくとも１つのページングメッセージは、前記ページングタイミング情報に基づいて送信される、
Ｃ２３に記載のコンピュータプログラム製品。
［Ｃ２６］ 前記少なくとも１つのページングメッセージを送信することは、ページングチャネルの各ページング機会でページングメッセージを前記アクセス端末に送信することを備える、Ｃ２３に記載のコンピュータプログラム製品。
［Ｃ２７］ 前記コンピュータ可読媒体は、前記コンピュータに、前記パケットの受信に基づいてページングインジケータチャネルの全てのページングインジケータを設定させるコードをさらに備える、Ｃ２３に記載のコンピュータプログラム製品。
［Ｃ２８］ アクセス端末に向けられた第１のパケットを受信することと、
前記第１のパケットの受信に基づいて、第２のパケットをネットワークエンティティに送信することと、
前記第２のパケットの送信の結果として、前記アクセス端末がページングされる予定であることを示すメッセージをモビリティマネジャから受信することと、
前記メッセージの受信に基づいて、ページングメッセージを前記アクセス端末に送信することと
を備える通信方法。
［Ｃ２９］ 前記ネットワークエンティティは、前記モビリティマネジャを備える、Ｃ１に記載の方法。
［Ｃ３０］ 前記ネットワークエンティティは、サービングゲートウェイを備える、Ｃ１に記載の方法。
［Ｃ３１］ 前記第２のパケットは、データパケット備える、Ｃ１に記載の方法。
［Ｃ３２］ 前記第２のパケットは、制御パケットを備える、Ｃ１に記載の方法。
［Ｃ３３］ 前記第２のパケットは、前記アクセス端末のページングをトリガするために送信されるダミーパケットを備える、Ｃ１に記載の方法。
［Ｃ３４］ 前記モビリティマネジャは、コアネットワークのサービングＧＰＲＳサポートノードを備える、Ｃ１に記載の方法。
［Ｃ３５］ 前記第１のパケットは、前記ページングメッセージを送信するアクセスポイントと関連付けられたローカルエリアネットワークからのものである、Ｃ１に記載の方法。
［Ｃ３６］ 前記アクセスポイントは、前記第１のパケットおよび前記メッセージを受信し、前記第２のパケットおよび前記ページングメッセージを送信する、Ｃ３５に記載の方法。
［Ｃ３７］ 前記第２のパケットは、前記ローカルエリアネットワークを介して送信される、Ｃ３５に記載の方法。
［Ｃ３８］ 前記第２のパケットは、プロトコルトンネルを介して送信される、Ｃ１に記載の方法。
［Ｃ３９］ 前記プロトコルトンネルは、ＧＰＲトンネリングプロトコルトンネルである、Ｃ３８に記載の方法。
［Ｃ４０］ アクセス端末に向けられた第１のパケットを受信するように構成された受信機と、
前記第１のパケットの受信に基づいて、第２のパケットをネットワークエンティティに送信するように構成されたページングコントローラとを備え、
前記受信機は、さらに、前記第２のパケットを送信した結果として、メッセージをモビリティマネジャから受信するように構成され、
前記メッセージは、前記アクセス端末がページングされる予定であることを示し、
前記ページングコントローラは、さらに、前記メッセージの受信に基づいて、ページングメッセージを前記アクセス端末に送信するように構成される
通信装置。
［Ｃ４１］ 前記ネットワークエンティティは、前記モビリティマネジャを備える、Ｃ４０に記載の装置。
［Ｃ４２］ 前記ネットワークエンティティは、サービングゲートウェイを備える、Ｃ４０に記載の装置。
［Ｃ４３］ 前記第２のパケットは、前記アクセス端末のページングをトリガするために送信されるダミーパケットを備える、Ｃ４０に記載の装置。
［Ｃ４４］ 前記第１のパケットは、前記装置と関連付けられたローカルエリアネットワークからのものである、Ｃ４０に記載の装置。
［Ｃ４５］ 前記装置は、アクセスポイントを備える、Ｃ４４に記載の装置。
［Ｃ４６］ アクセス端末に向けられた第１のパケットを受信するための手段と、
前記第１のパケットの受信に基づいて、第２のパケットをネットワークエンティティに送信するための手段と、
前記アクセス端末がページングされる予定であることを示すメッセージを、前記第２のパケットを送信した結果として、モビリティマネジャから受信するための手段と、
前記メッセージの受信に基づいて、ページングメッセージを前記アクセス端末に送信するための手段と
を備える通信装置。
［Ｃ４７］ 前記ネットワークエンティティは、前記モビリティマネジャを備える、Ｃ４６に記載の装置。
［Ｃ４８］ 前記ネットワークエンティティは、サービングゲートウェイを備える、Ｃ４６に記載の装置。
［Ｃ４９］ 前記第２のパケットは、前記アクセス端末のページングをトリガするために送信されるダミーパケットを備える、Ｃ４６に記載の装置。
［Ｃ５０］ 前記第１のパケットは、前記装置と関連付けられたローカルエリアネットワークからのものである、Ｃ４６に記載の装置。
［Ｃ５１］ 前記装置は、アクセスポイントを備える、Ｃ５０に記載の装置。
［Ｃ５２］ コンピュータ可読媒体を備えるコンピュータプログラム製品であって、前記コンピュータ可読媒体は、
アクセス端末に向けられた第１のパケットを受信する、
前記第１のパケットの受信に基づいて、第２のパケットをネットワークエンティティに送信する、
前記第２のパケットを送信した結果として、前記アクセス端末がページングされる予定であることを示すメッセージをモビリティマネジャから受信する、
前記メッセージの受信に基づいて、ページングメッセージを前記アクセス端末に送信する
ことをコンピュータにさせるためのコードを備える、コンピュータプログラム製品。
［Ｃ５３］ 前記ネットワークエンティティは、前記モビリティマネジャを備える、Ｃ５２に記載のコンピュータプログラム製品。
［Ｃ５４］ 前記ネットワークエンティティは、サービングゲートウェイを備える、Ｃ５２に記載のコンピュータプログラム製品。
［Ｃ５５］ 前記第２のパケットは、前記アクセス端末のページングをトリガするために送信されるダミーパケットを備える、Ｃ５２に記載のコンピュータプログラム製品。
［Ｃ５６］ 前記第１のパケットは、前記ページングメッセージを送信するアクセスポイントと関連付けられたローカルエリアネットワークからのものである、Ｃ５２に記載のコンピュータプログラム製品。
［Ｃ５７］ 前記アクセスポイントは、前記第１のパケットおよび前記メッセージを受信し、前記第２のパケットおよび前記ページングメッセージを送信する、Ｃ５６に記載のコンピュータプログラム製品。
［Ｃ５８］ アクセス端末に向けられた第１のパケットを受信することと、
前記第１のパケットの受信に基づいて、前記アクセス端末のページングをトリガするために送信される第２のパケットをネットワークエンティティに送信することと
を備える通信方法。
［Ｃ５９］ 前記第２のパケットは、前記アクセス端末のページングをトリガするために送信されるダミーパケットを備える、Ｃ５８に記載の方法。
［Ｃ６０］ 前記ネットワークエンティティは、モビリティマネジャまたはサービングゲートウェイを備える、Ｃ５８に記載の方法。
［Ｃ６１］ 前記第１のパケットは、前記アクセス端末のためのサービングアクセスポイントと関連付けられたローカルエリアネットワークからのものである、Ｃ５８に記載の方法。
［Ｃ６２］ 前記第２のパケットは、前記ローカルエリアネットワークを介して送信される、Ｃ６１に記載の方法。
［Ｃ６３］ 前記第２のパケットは、プロトコルトンネルを介して送信される、Ｃ５８に記載の方法。
［Ｃ６４］ アクセス端末に向けられた第１のパケットを受信するように構成された受信機と、
前記第１のパケットの受信に基づいて、前記アクセス端末のページングをトリガするために送信される第２のパケットをネットワークエンティティに送信するように構成されたページングコントローラと
を備える通信装置。
［Ｃ６５］ 前記第２のパケットは、前記アクセス端末のページングをトリガするために送信されるダミーパケットを備える、Ｃ６４に記載の装置。
［Ｃ６６］ 前記第１のパケットは、前記アクセス端末の」ためのサービングアクセスポイントと関連付けられたローカルエリアネットワークからのパケットである、Ｃ６４に記載の方法。
［Ｃ６７］ アクセス端末に向けられた第１のパケットを受信するための手段と、
前記第１のパケットの受信に基づいて、前記アクセス端末のページングをトリガするために送信される第２のパケットをネットワークエンティティに送信するための手段と
を備える通信装置。
［Ｃ６８］ 前記第２のパケットは、前記アクセス端末のページングをトリガするために送信されるダミーパケットを備える、Ｃ６７に記載の装置。
［Ｃ６９］ 前記第１のパケットは、前記アクセス端末のためのサービングアクセスポイントと関連付けられたローカルエリアネットワークからのパケットである、Ｃ６７に記載の装置。
［Ｃ７０］ コンピュータ可読媒体を備えるコンピュータプログラム製品であって、前記コンピュータ可読媒体は、
アクセス端末に向けられた第１のパケットを受信する、
前記第１のパケットの受信に基づいて、前記アクセス端末のページングをトリガするために送信される第２のパケットをネットワークエンティティに送信する
ことをコンピュータにさせるためのコードを備える、コンピュータプログラム製品。
［Ｃ７１］ 前記第２のパケットは、前記アクセス端末のページングをトリガするために送信されるダミーパケットを備える、Ｃ７０に記載のコンピュータプログラム製品。
［Ｃ７２］ 前記第１のパケットは、前記アクセス端末のためのサービングアクセスポイントと関連付けられたローカルエリアネットワークからのパケットである、Ｃ７０に記載のコンピュータプログラム製品。
【外国語明細書】
2014195314000001.pdf